(57)【要約】【課題】  パネルモジュールに電源電圧を供給する電源回路の態様に関わらず、通常の表示動作からスタンバイ状態への移行に際して、電源ラインに蓄積された電荷を良好に放電して、残像の発生や液晶の劣化、表示誤動作を抑制することができる表示駆動装置、及び、該表示駆動装置を備えた表示装置並びにその駆動制御方法を提供する。【解決手段】  ゲートドライバ２０は、周知のシフトレジスタ２１と、レベルシフタ２２、出力部２３に加え、少なくとも、ドライバ形成領域の端部に設けられ、電源回路８０から駆動電圧ＶＧＬが印加される接続端子ＴＭＬに接続されたＶＧＬ電源ラインＬＮＬと、該ＶＧＬ電源ラインＬＮＬに一端側が接続された放電抵抗ＲＬＡと、該放電抵抗ＲＬＡの他端側に一方の開閉接点が接続され、他方の開閉接点が接地電位に接続されたスイッチＳＷＡと、を備えた構成を有している。【選択図】  図２
2006189714.tif 000002
【特許請求の範囲】
【請求項１】
表示パネルに配列された複数の表示画素に対して、所定の駆動信号を印加して、所望の画像情報を表示させる表示駆動装置において、
少なくとも、
前記駆動信号の信号レベルを規定するための電源電圧が供給される電源ラインと、
前記電源ラインに接続された放電手段と、
前記電源電圧の供給態様に応じて、前記放電手段の動作状態を切り換える放電モード制御手段と、
を備えることを特徴とする表示駆動装置。
【請求項２】
表示パネルに配列された複数の表示画素に対して、所定の駆動信号を印加して、所望の画像情報を表示させる表示駆動装置において、
少なくとも、
前記駆動信号の信号レベルを規定するための電源電圧が供給される電源ラインと、
前記電源ラインに接続された放電手段と、
前記電源電圧の供給態様を判別する電源判別手段と、
前記電源電圧の供給態様に応じて、前記放電手段の動作状態を切り換えて、前記電源ラインに蓄積された電荷を放電する動作を制御する放電モード制御手段と、
を備えることを特徴とする表示駆動装置。
【請求項３】
前記放電モード制御手段は、前記電源電圧の供給態様に応じて、前記電源ラインに蓄積された電荷を、前記放電手段を介して強制的に放電させる動作と、前記放電手段を介さずに、自然放電させる動作と、を選択的に設定する手段を有することを特徴とする請求項１又は２記載の表示駆動装置。
【請求項４】
前記電源判別手段は、前記放電手段を用いて前記電源ラインに蓄積された電荷を放電する動作を実行した際の、前記電源ラインの電位の変化を検出する電位変化検出手段と、
前記電位変化検出手段の検出結果に基づいて、前記放電手段の動作状態を切り換え制御する放電動作制御手段と、
を有することを特徴とする請求項２又は３記載の表示駆動装置。
【請求項５】
前記放電動作制御手段は、前記電位変化検出手段により前記電源ラインの電位変化が検出されなかった場合に、前記放電動作を停止する放電停止手段を有することを特徴とする請求項４記載の表示駆動装置。
【請求項６】
前記放電手段は、所定の抵抗値を有する第１の放電抵抗と、該第１の放電抵抗よりも低い抵抗値を有する第２の放電抵抗とを有し、
前記放電動作制御手段は、前記第１の放電抵抗を用いて前記放電動作を行い、前記電位変化検出手段により前記電源ラインの電位変化が検出された場合に、前記第２の放電抵抗を用いて前記放電動作を行うように制御する手段を有することを特徴とする請求項４又は５記載の表示駆動装置。
【請求項７】
前記電源電圧は、チャージポンプ回路を用いた電源供給手段により供給されることを特徴とする請求項１乃至６のいずれかに記載の表示駆動装置。
【請求項８】
前記電源電圧は、独立した専用電源からなる電源供給手段により供給されることを特徴とする請求項１乃至６のいずれかに記載の表示駆動装置。
【請求項９】
前記表示駆動装置は、前記表示パネルに配列された前記表示画素を選択状態に設定する走査信号を出力する走査駆動回路であって、
前記電源電圧は、前記走査信号を規定する信号電圧であることを特徴とする請求項１乃至８のいずれかに記載の表示駆動装置。
【請求項１０】
複数の表示画素が２次元配列された表示パネルと、前記表示画素に走査信号を印加して、前記表示画素を選択状態に設定する走査駆動回路と、前記選択状態に設定された前記表示画素に対して、前記画像情報に応じた表示信号を印加する信号駆動回路と、少なくとも前記走査信号の信号レベルを規定する電源電圧を前記走査駆動回路に供給する電源回路と、を備えた表示装置において、
前記走査駆動回路は、
前記電源回路から供給された前記電源電圧が印加される電源ラインと、
前記電源ラインに接続された放電手段と、
前記電源電圧の供給態様に応じて、前記放電手段の動作状態を切り換える放電モード制御手段と、
を具備することを特徴とする表示装置。
【請求項１１】
複数の表示画素が２次元配列された表示パネルと、前記表示画素に走査信号を印加して、前記表示画素を選択状態に設定する走査駆動回路と、前記選択状態に設定された前記表示画素に対して、前記画像情報に応じた表示信号を印加する信号駆動回路と、少なくとも前記走査信号の信号レベルを規定する電源電圧を前記走査駆動回路に供給する電源回路と、を備えた表示装置において、
前記走査駆動回路は、
前記電源回路から供給された前記電源電圧が印加される電源ラインと、
前記電源ラインに接続された放電手段と、
前記電源電圧の供給態様を判別する電源判別手段と、
前記電源電圧の供給態様に応じて、前記放電手段の動作状態を切り換えて、前記電源ラインに蓄積された電荷を放電する動作を制御する放電モード制御手段と、
を備えることを特徴とする表示装置。
【請求項１２】
前記放電モード制御手段は、前記電源電圧の供給態様に応じて、前記電源ラインに蓄積された電荷を、前記放電手段を介して強制的に放電させる動作と、前記放電手段を介さずに、自然放電させる動作と、を選択的に設定する手段を有することを特徴とする請求項１０又は１１記載の表示装置。
【請求項１３】
前記電源判別手段は、前記放電手段を用いて前記電源ラインに蓄積された電荷を放電する動作を実行した際の、前記電源ラインの電位の変化を検出する電位変化検出手段と、
前記電位変化検出手段の検出結果に基づいて、前記放電手段の動作状態を切り換え制御する放電動作制御手段と、
を有することを特徴とする請求項１１又は１２記載の表示装置。
【請求項１４】
前記放電動作制御手段は、前記電位変化検出手段により前記電源ラインの電位変化が検出されなかった場合に、前記放電動作を停止する放電停止手段を有することを特徴とする請求項１３記載の表示装置。
【請求項１５】
前記放電手段は、所定の抵抗値を有する第１の放電抵抗と、該第１の放電抵抗よりも低い抵抗値を有する第２の放電抵抗とを有し、
前記放電動作制御手段は、前記第１の放電抵抗を用いて前記放電動作を行い、前記電位変化検出手段により前記電源ラインの電位変化が検出された場合に、前記第２の放電抵抗を用いて前記放電動作を行うように制御する手段を有することを特徴とする請求項１３又は１４記載の表示装置。
【請求項１６】
前記電源回路は、チャージポンプ回路を用いて前記電源電圧を生成し、前記走査駆動回路に供給することを特徴とする請求項１０乃至１５のいずれかに記載の表示装置。
【請求項１７】
前記電源回路は、独立した専用電源から前記走査駆動回路に前記電源電圧を供給することを特徴とする請求項１０乃至１５のいずれかに記載の表示装置。
【請求項１８】
複数の表示画素が２次元配列された表示パネルと、前記表示画素に走査信号を印加して、前記表示画素を選択状態に設定する走査駆動回路と、前記選択状態に設定された前記表示画素に対して、前記画像情報に応じた表示信号を印加する信号駆動回路と、を備えた表示装置の駆動制御方法において、
前記表示パネルに前記画像情報を表示する通常の表示状態から、前記画像情報を表示せず、少なくとも前記走査駆動回路及び前記信号駆動回路への電源電圧の供給が遮断された待機状態への移行に際して、前記電源電圧の供給態様に応じて、前記電源電圧が印加される電源ラインに蓄積された電荷を、強制的に放電させる第１の放電方式と、自然放電させる第２の放電方式と、を切り換えることを特徴とする表示装置の駆動制御方法。
【請求項１９】
前記第１の放電方式を用いて、前記電源ラインに蓄積された電荷を放電する動作を実行した際の、前記電源ラインの電位の変化を検出し、
前記電源ラインの電位の変化が検出された場合には、前記第１の放電方式を用いた前記放電動作を継続し、
前記電源ラインの電位の変化が検出されなかった場合には、前記第１の放電方式を用いた前記放電動作を停止し、前記電源電圧の供給を遮断した後、前記第２の放電方式を用いて、前記電源ラインに蓄積された電荷を放電することを特徴とする請求項１８記載の表示装置の駆動制御方法。
【請求項２０】
前記第１の放電方式を用いた前記放電動作は、所定の抵抗値を有する第１の放電抵抗を用いて前記放電動作を行い、
前記電源ラインの電位の変化が検出された場合には、前記第１の放電抵抗よりも低い抵抗値を有する第２の放電抵抗を用いて前記放電動作を継続することを特徴とする請求項１９記載の表示装置の駆動制御方法。
【発明の詳細な説明】
【技術分野】
【０００１】
本発明は、表示駆動装置及び表示装置並びにその駆動制御方法に関し、特に、電源回路から供給される電源電圧に基づいて、表示パネルを駆動する表示駆動装置、及び、該表示駆動装置を備えた表示装置並びにその駆動制御方法に関する。
【背景技術】
【０００２】
近年、デジタルカメラや携帯電話機、ポータブルオーディオ装置、携帯ゲーム機等の携帯機器を始め、様々な電子機器において、画像や文字情報等を表示するために、液晶表示装置（Liquid Crystal Display；ＬＣＤ）等の表示装置（ディスプレイ）が搭載されている。このような表示装置は、薄型軽量で低消費電力化が可能であり、表示画質にも優れているという特徴を有している。
【０００３】
以下に、従来技術における表示装置の例として、液晶表示装置の概略構成を簡単に説明する。
図１２は、アクティブマトリクス型の駆動方式を採用した液晶表示装置の概略構成を示すブロック図である。
【０００４】
図１２に示すように、従来技術における液晶表示装置１００Ｐは、概略、表示画素（図示を省略）が２次元配列された液晶表示パネル１１０と、該液晶表示パネル１１０の各行の表示画素群を順次走査して選択状態に設定するゲートドライバ１２０と、選択状態に設定された行の表示画素群に、映像信号に基づく表示信号を一括して出力するソースドライバ１３０と、ゲートドライバ１２０及びソースドライバ１３０における動作タイミングを制御するための制御信号（水平制御信号、垂直制御信号等）を生成、出力するＬＣＤコントローラ１４０と、映像信号から複合同期信号（水平同期信号Ｈ、垂直同期信号Ｖ、コンポジット同期信号ＣＳＹ）、及び、赤（Ｒ）、緑（Ｇ）、青（Ｂ）の各色信号（ＲＧＢ信号）を抽出するＲＧＢデコーダ１５０と、極性反転信号ＦＲＰに基づいて、ＲＧＢ信号を反転処理して輝度信号（ＲＧＢ反転信号）としてソースドライバ１３０に出力する反転アンプ１６０と、極性反転信号ＦＲＰに基づいて、液晶表示パネル１１０の各表示画素に共通に設けられた共通電極に対して、所定の電圧極性を有するコモン信号電圧Ｖcomを印加するコモン信号駆動アンプ（駆動アンプ）１７０と、を有して構成されている。
【０００５】
ここで、液晶表示パネル１１０は、例えば、図１２に示すように、対向する透明基板（図示を省略）間に、互いに直交する方向に配設された複数の走査ラインＳＬ及び複数のデータラインＤＬと、走査ラインＳＬ及びデータラインＤＬの各交点近傍に配置された複数の表示画素Ｐｘと、を備えて構成されている。また、各表示画素Ｐｘは、液晶容量Ｃlcを構成する画素電極とデータラインＤＬ間に電流路（ソース−ドレイン）が接続され、走査ラインＳＬに制御端子（ゲート）が接続された画素トランジスタ（画素ＴＦＴ）と、各表示画素Ｐｘの画素電極及び該画素電極に対向して配置された単一の共通電極（対向電極：コモン信号電圧Ｖcom）、該画素電極と共通電極との間に充填、保持された液晶分子からなる液晶容量Ｃlcと、該液晶容量Ｃlcに並列に構成され、他端側が所定電圧Ｖcs（例えば、コモン信号電圧Ｖcom）に接続され、液晶容量Ｃlcに印加された信号電圧を保持するための蓄積容量Ｃcsと、を備えた構成を有している。
【０００６】
このような構成を有する液晶表示装置において、装置外部等から入力された映像信号は、ＲＧＢデコーダ１５０により上記複合同期信号（Ｈ、Ｖ、ＣＳＹ）が分離されて、ＬＣＤコントローラ１４０に供給されるとともに、ＲＧＢ信号が分離されて、反転アンプ１６０により生成された輝度信号がソースドライバ１３０に供給される。そして、ＬＣＤコントローラ１４０は、複合同期信号に基づいて、垂直制御信号及び水平制御信号を生成して、各々ゲートドライバ１２０及びソースドライバ１３０に供給するとともに、極性反転信号ＦＲＰを生成して、上記反転アンプ１６０及びコモン信号駆動アンプ１７０に供給する。
【０００７】
そして、このような構成を有する液晶表示装置の表示駆動動作は、ゲートドライバ１２０により垂直制御信号に基づいて各走査ラインＳＬに走査信号が順次印加されることにより、当該行の表示画素Ｐｘ群の画素トランジスタＴＦＴがオン動作して、表示信号を書き込み可能な選択状態に設定される。
【０００８】
この表示画素Ｐｘ群の選択タイミングに同期して、予め水平制御信号に基づいてソースドライバ１３０に順次取り込み保持された、液晶表示パネル１１０の１行分の輝度信号に対応する表示信号が、各データラインＤＬを介して、上記選択状態に設定された各表示画素Ｐｘに一斉に供給される。また、このソースドライバ１３０による表示信号の供給タイミングに同期して、コモン信号駆動アンプ１７０により極性反転信号ＦＲＰに基づいて該表示信号に対して反転極性となるコモン信号電圧Ｖcomが共通電極に印加される。
【０００９】
これにより、選択状態に設定された各表示画素Ｐｘの画素トランジスタＴＦＴを介して、画素電極に表示信号が印加されることにより、液晶容量Ｃlcに充填された液晶分子が、当該表示信号に応じて配向状態を変化させ、所定の階調表示動作が行われるとともに、該液晶容量Ｃlcに並列に接続された蓄積容量Ｃcsに、該液晶容量Ｃlcに印加された電圧が充電される（表示データの書き込みが行われる）。
このような一連の動作を、１画面分の各行に対して繰り返し実行することにより、上記映像信号に基づく所望の画像情報が液晶表示パネル１１０に表示される。
【００１０】
ところで、上述したような液晶表示装置の表示駆動動作においては、ゲートドライバ１２０及びソースドライバ１３０から液晶表示パネル１１０に印加される走査信号や表示信号の電圧レベルを設定するために電源電圧を装置外部から供給する必要がある。具体的には、ゲートドライバ１２０及びソースドライバ１３０における論理駆動電圧ＶＤＤ、ＶＳＳ（ＶＳＳは、接地電位Ｖgndであってもよい）や、ソースドライバ１３０から出力される表示信号の階調電圧を規定する駆動電圧ＶＳＨ、ゲートドライバ１２０から出力される走査信号のハイレベルを規定する駆動電圧ＶＧＨ、走査信号のローレベルを規定する駆動電圧ＶＧＬ等の各種の電源電圧を供給する必要がある。このような電源電圧を液晶表示装置に供給する手段（電源回路）としては、例えば、特許文献１等に開示されているチャージポンプ回路を備えた構成や、各駆動電圧に応じた個別の専用電源を備えた構成が知られている。
【００１１】
ここで、特許文献１等に開示されているチャージポンプ回路を備えた電源回路について簡単に説明する。
図１３は、チャージポンプ回路を備えた電源回路の一例を示す概略回路図である。
チャージポンプ回路を備えた電源回路は、例えば、図１３に示すように、接地電位（ＶＳＳ＝０Ｖ）に負電極側が接続された個別の直流電源Ｖ１、Ｖ２、Ｖ３を有し、複数種の駆動電圧（ＶＤＤ、ＶＳＨ、ＶＧＨ）を供給する電源部１８１と、該電源部１８１から供給される複数種の駆動電圧（ＶＤＤ、ＶＧＨ）及び接地電位（ＶＳＳ）に基づいて、特定の駆動電圧（ＶＧＬ）を生成するチャージポンプ回路部１８２と、を備えた構成を有している。
【００１２】
チャージポンプ回路部１８２は、例えば、図１３に示すように、接点Ｎ１及び接点Ｎout間に直列に接続されたコンデンサＣ１、スイッチＳＢ２、コンデンサＣ２、スイッチＳＢ３と、接点Ｎ１への駆動電圧ＶＧＨの印加を制御するスイッチＳＡ１と、接点Ｎ１への駆動電圧ＶＳＳ（接地電位）の印加を制御するスイッチＳＢ１と、コンデンサＣ１とスイッチＳＢ２間の接点Ｎ２への駆動電圧ＶＳＳの印加を制御するスイッチＳＡ２と、スイッチＳＢ２とコンデンサＣ２間の接点Ｎ３への駆動電圧ＶＤＤの印加を制御するスイッチＳＡ３と、コンデンサＣ２とスイッチＳＢ３間の接点Ｎ４への駆動電圧ＶＳＳの印加を制御するスイッチＳＡ４と、接点Ｎout及び駆動電圧ＶＳＳの間に接続されたコンデンサＣ３と、を備えた構成を有している。なお、これらのスイッチＳＡ１〜ＳＡ４、ＳＢ１〜ＳＢ３は、上述した複合同期信号に基づいて生成される切換制御信号（具体的には、垂直制御クロック）、又は、その反転信号（反転切換信号）に基づいて、オン／オフ状態が切り換え制御される。
【００１３】
このようなチャージポンプ回路部１８２を備えた電源回路における駆動電圧の生成、供給動作は、概ね、切換制御信号及び反転切換信号に基づく第１のタイミング期間で、スイッチＳＡ１〜ＳＡ４をオン動作させるとともに、スイッチＳＢ１〜ＳＢ３をオフ動作させることにより、コンデンサＣ１に駆動電圧ＶＧＨ−ＶＳＳ間の電位差に相当する電荷が蓄積され、コンデンサＣ２に駆動電圧ＶＤＤ−ＶＳＳ間の電位差に相当する電荷が蓄積される（充電動作）。
【００１４】
次いで、第２のタイミング期間で、スイッチＳＡ１〜ＳＡ４をオフ動作させるとともに、スイッチＳＢ１〜ＳＢをオン動作させることにより、コンデンサＣ１及びＣ２が直列接続されるとともに、接点Ｎ１に駆動電圧ＶＳＳが、接点Ｎ４に接点Ｎoutが接続されるため、直列接続されたコンデンサＣ１及びＣ２に蓄積された電荷に相当する逆極性の電圧（＝−（ＶＧＨ＋ＶＤＤ）；負電圧）が接点Ｎoutに生成される。この電圧は、駆動電圧ＶＧＬとしてゲートドライバ１２０に供給される（放電動作）とともに、コンデンサＣ３に充電される。
そして、上述したような充放電動作を、切換制御信号及び反転切換信号に基づいて、繰り返し実行することにより、負電圧を有する駆動電圧ＶＧＬが安定してゲートドライバ１２０へ供給される。
【００１５】
【特許文献１】特開２００１−１００１７７号公報  （第４頁、図２、図３）
【発明の開示】
【発明が解決しようとする課題】
【００１６】
上述したような液晶表示装置においては、所定の設定条件の下で、液晶表示パネルにおける画像表示が通常の表示状態からスタンバイ状態（パワーセーブ状態又は待機状態:非表示状態であって、表示パネル及び各ドライバへの電源電圧の供給が遮断された状態）に移行する機能を有するものが知られている。例えば、携帯電話機等においては、表示パネルに画像表示された後、ボタン操作（入力操作）等を行わずに、一定の時間が経過すると、消費電力の削減のために、表示パネルの表示が消えるように駆動制御されている。
【００１７】
ここで、ゲートドライバに供給される駆動電圧ＶＧＬに着目した場合、当該駆動電圧ＶＧＬが供給される電源ライン（ＶＧＬ電源ライン）の電位が、上述したようなチャージポンプ回路部によって生成、供給されている構成において、通常の表示状態から上記スタンバイ状態に移行する際、チャージポンプ回路部からの駆動電圧ＶＧＬの供給が遮断された後においても、ＶＧＬ電源ラインに電荷が残り、例えば、ＶＧＬ電源ラインと走査ライン間等に設けられた表示パネルの保護素子等を通して、表示画素を構成する液晶に電荷が蓄積されてしまい、残像が生じることによる視認性の劣化や、液晶の劣化を招く等の問題を有していた。
【００１８】
また、上述したような液晶表示装置において、表示パネル及び各ドライバへの電源投入順序は、一般に、ロジック電源（ゲートドライバ以外のドライバや制御部等への電源電圧）投入後にゲートドライバの電源電圧を投入する必要がある。これは、ゲートドライバの電源電圧が先に供給されて、表示パネルの画素ＴＦＴがオン動作してしまうと、予期しない過大な電圧が液晶（表示画素）に印加されてしまったり、表示動作上の誤動作が生じたりする可能性があり、このような現象を防止するためである。
【００１９】
このような電源投入順序において、スタンバイ状態においてＶＧＬ電源ラインに電荷が残っていた場合、通常の表示状態に移行する際に、先にゲートドライバの駆動電源が投入された状態（オン状態）になって、表示パネルの画素ＴＦＴがオン動作してしまい、表示誤動作を生じる可能性があるという問題があった。
【００２０】
このような問題を解消するためには、通常表示状態からスタンバイ状態への移行時に、ＶＧＬ電源ラインの電荷を迅速に放電する必要がある。ここで、上述したようなチャージポンプ回路部を用いて電源電圧（駆動電圧ＶＧＬ）が生成、供給されている場合には、駆動電圧ＶＧＬに応じた電荷が、ＶＧＬ電源ラインに接続された容量成分（上記コンデンサＣ３や配線容量）に蓄積、保持されているので、通常の表示状態からスタンバイ状態への移行時に、例えば、ＶＧＬ電源ラインを接地電位に接続することにより、当該容量成分に蓄積された電荷を抜く（放電する）ことができ、上述したような問題を解決することができる。
【００２１】
しかしながら、駆動電圧ＶＧＬが、上述したようなチャージポンプ回路部により生成されるのではなく、当該電圧（駆動電圧ＶＧＬ）を直接供給する専用電源から供給されている場合には、一般に、表示パネルにおける表示状態の変化（通常表示状態からスタンバイ状態への移行）に連動して駆動電圧ＶＧＬの供給が遮断されないため、ＶＧＬ電源ラインを接地電位に接続して上記容量成分に蓄積された電荷を抜く（放電する）ように制御しても、当該専用電源から電荷が供給され続けてしまい（電流が流れ続けてしまい）、実質的にゲートドライバへの電源電圧（駆動電圧ＶＧＬ）の供給を遮断した状態（オフ状態）に設定することができなかった。
【００２２】
ここで、表示パネル及びその周辺回路（各ドライバ等）からなるパネルモジュールに対して、電源電圧（駆動電圧ＶＧＬ）を供給する電源回路の態様は、上述したチャージポンプ回路を適用する方式や専用電源を適用する方式が混在しており、いずれの方式を採用するかは、当該液晶表示装置が搭載される電子機器の仕様や設計思想等により適宜決定されるものであるため、ＶＧＬ電源ラインに蓄積された電荷を放電するための手段は特に設けられておらず、一般に、保護素子のリーク電流等による自然放電によって徐々に放電される方式が採用されていた。
そのため、当該放電に比較的長い時間がかかることになり、上記のような残像の発生や液晶の劣化、表示誤動作の発生を招くという問題を有していた。
【００２３】
そこで、本発明は、上述した問題点に鑑み、パネルモジュールに電源電圧を供給する電源回路の態様に関わらず、通常の表示動作からスタンバイ状態への移行に際して、電源ラインに蓄積された電荷を良好に放電して、残像の発生や液晶の劣化、表示誤動作を抑制することができる表示駆動装置、及び、該表示駆動装置を備えた表示装置並びにその駆動制御方法を提供することを目的とする。
【課題を解決するための手段】
【００２４】
請求項１記載の発明は、表示パネルに配列された複数の表示画素に対して、所定の駆動信号を印加して、所望の画像情報を表示させる表示駆動装置において、少なくとも、前記駆動信号の信号レベルを規定するための電源電圧が供給される電源ラインと、前記電源ラインに接続された放電手段と、前記電源電圧の供給態様に応じて、前記放電手段の動作状態を切り換える放電モード制御手段と、を備えることを特徴とする。
【００２５】
請求項２記載の発明は、表示パネルに配列された複数の表示画素に対して、所定の駆動信号を印加して、所望の画像情報を表示させる表示駆動装置において、少なくとも、前記駆動信号の信号レベルを規定するための電源電圧が供給される電源ラインと、前記電源ラインに接続された放電手段と、前記電源電圧の供給態様を判別する電源判別手段と、前記電源電圧の供給態様に応じて、前記放電手段の動作状態を切り換えて、前記電源ラインに蓄積された電荷を放電する動作を制御する放電モード制御手段と、を備えることを特徴とする。
【００２６】
請求項３記載の発明は、請求項１又は２記載の表示駆動装置において、前記放電モード制御手段は、前記電源電圧の供給態様に応じて、前記電源ラインに蓄積された電荷を、前記放電手段を介して強制的に放電させる動作と、前記放電手段を介さずに、自然放電させる動作と、を選択的に設定する手段を有することを特徴とする。
【００２７】
請求項４記載の発明は、請求項２又は３記載の表示駆動装置において、前記電源判別手段は、前記放電手段を用いて前記電源ラインに蓄積された電荷を放電する動作を実行した際の、前記電源ラインの電位の変化を検出する電位変化検出手段と、前記電位変化検出手段の検出結果に基づいて、前記放電手段の動作状態を切り換え制御する放電動作制御手段と、を有することを特徴とする。
【００２８】
請求項５記載の発明は、請求項４記載の表示駆動装置において、前記放電動作制御手段は、前記電位変化検出手段により前記電源ラインの電位変化が検出されなかった場合に、前記放電動作を停止する放電停止手段を有することを特徴とする。
請求項６記載の発明は、請求項４又は５記載の表示駆動装置において、前記放電手段は、所定の抵抗値を有する第１の放電抵抗と、該第１の放電抵抗よりも低い抵抗値を有する第２の放電抵抗とを有し、前記放電動作制御手段は、前記第１の放電抵抗を用いて前記放電動作を行い、前記電位変化検出手段により前記電源ラインの電位変化が検出された場合に、前記第２の放電抵抗を用いて前記放電動作を行うように制御する手段を有することを特徴とする。
【００２９】
請求項７記載の発明は、請求項１乃至６のいずれかに記載の表示駆動装置において、前記電源電圧は、チャージポンプ回路を用いた電源供給手段により供給されることを特徴とする。
請求項８記載の発明は、請求項１乃至６のいずれかに記載の表示駆動装置において、前記電源電圧は、独立した専用電源からなる電源供給手段により供給されることを特徴とする。
【００３０】
請求項９記載の発明は、請求項１乃至８のいずれかに記載の表示駆動装置において、前記表示駆動装置は、前記表示パネルに配列された前記表示画素を選択状態に設定する走査信号を出力する走査駆動回路であって、前記電源電圧は、前記走査信号を規定する信号電圧であることを特徴とする。
【００３１】
請求項１０記載の発明は、複数の表示画素が２次元配列された表示パネルと、前記表示画素に走査信号を印加して、前記表示画素を選択状態に設定する走査駆動回路と、前記選択状態に設定された前記表示画素に対して、前記画像情報に応じた表示信号を印加する信号駆動回路と、少なくとも前記走査信号の信号レベルを規定する電源電圧を前記走査駆動回路に供給する電源回路と、を備えた表示装置において、前記走査駆動回路は、前記電源回路から供給された前記電源電圧が印加される電源ラインと、前記電源ラインに接続された放電手段と、前記電源電圧の供給態様に応じて、前記放電手段の動作状態を切り換える放電モード制御手段と、を具備することを特徴とする。
【００３２】
請求項１１記載の発明は、複数の表示画素が２次元配列された表示パネルと、前記表示画素に走査信号を印加して、前記表示画素を選択状態に設定する走査駆動回路と、前記選択状態に設定された前記表示画素に対して、前記画像情報に応じた表示信号を印加する信号駆動回路と、少なくとも前記走査信号の信号レベルを規定する電源電圧を前記走査駆動回路に供給する電源回路と、を備えた表示装置において、前記走査駆動回路は、前記電源回路から供給された前記電源電圧が印加される電源ラインと、前記電源ラインに接続された放電手段と、前記電源電圧の供給態様を判別する電源判別手段と、前記電源電圧の供給態様に応じて、前記放電手段の動作状態を切り換えて、前記電源ラインに蓄積された電荷を放電する動作を制御する放電モード制御手段と、を備えることを特徴とする。
【００３３】
請求項１２記載の発明は、請求項１０又は１１記載の表示装置において、前記放電モード制御手段は、前記電源電圧の供給態様に応じて、前記電源ラインに蓄積された電荷を、前記放電手段を介して強制的に放電させる動作と、前記放電手段を介さずに、自然放電させる動作と、を選択的に設定する手段を有することを特徴とする。
【００３４】
請求項１３記載の発明は、請求項１１又は１２記載の表示装置において、前記電源判別手段は、前記放電手段を用いて前記電源ラインに蓄積された電荷を放電する動作を実行した際の、前記電源ラインの電位の変化を検出する電位変化検出手段と、前記電位変化検出手段の検出結果に基づいて、前記放電手段の動作状態を切り換え制御する放電動作制御手段と、を有することを特徴とする。
【００３５】
請求項１４記載の発明は、請求項１３記載の表示装置において、前記放電動作制御手段は、前記電位変化検出手段により前記電源ラインの電位変化が検出されなかった場合に、前記放電動作を停止する放電停止手段を有することを特徴とする。
請求項１５記載の発明は、請求項１３又は１４記載の表示装置において、前記放電手段は、所定の抵抗値を有する第１の放電抵抗と、該第１の放電抵抗よりも低い抵抗値を有する第２の放電抵抗とを有し、前記放電動作制御手段は、前記第１の放電抵抗を用いて前記放電動作を行い、前記電位変化検出手段により前記電源ラインの電位変化が検出された場合に、前記第２の放電抵抗を用いて前記放電動作を行うように制御する手段を有することを特徴とする。
【００３６】
請求項１６記載の発明は、請求項１０乃至１５のいずれかに記載の表示装置において、前記電源回路は、チャージポンプ回路を用いて前記電源電圧を生成し、前記走査駆動回路に供給することを特徴とする。
請求項１７記載の発明は、請求項１０乃至１５のいずれかに記載の表示装置において、前記電源回路は、独立した専用電源から前記走査駆動回路に前記電源電圧を供給することを特徴とする。
【００３７】
請求項１８記載の発明は、複数の表示画素が２次元配列された表示パネルと、前記表示画素に走査信号を印加して、前記表示画素を選択状態に設定する走査駆動回路と、前記選択状態に設定された前記表示画素に対して、前記画像情報に応じた表示信号を印加する信号駆動回路と、を備えた表示装置の駆動制御方法において、前記表示パネルに前記画像情報を表示する通常の表示状態から、前記画像情報を表示せず、少なくとも前記走査駆動回路及び前記信号駆動回路への電源電圧の供給が遮断された待機状態への移行に際して、前記電源電圧の供給態様に応じて、前記電源電圧が印加される電源ラインに蓄積された電荷を、強制的に放電させる第１の放電方式と、自然放電させる第２の放電方式と、を切り換えることを特徴とする。
【００３８】
請求項１９記載の発明は、請求項１８記載の表示装置の駆動制御方法において、前記第１の放電方式を用いて、前記電源ラインに蓄積された電荷を放電する動作を実行した際の、前記電源ラインの電位の変化を検出し、前記電源ラインの電位の変化が検出された場合には、前記第１の放電方式を用いた前記放電動作を継続し、前記電源ラインの電位の変化が検出されなかった場合には、前記第１の放電方式を用いた前記放電動作を停止し、前記電源電圧の供給を遮断した後、前記第２の放電方式を用いて、前記電源ラインに蓄積された電荷を放電することを特徴とする。
【００３９】
請求項２０記載の発明は、請求項１９記載の表示装置の駆動制御方法において、前記第１の放電方式を用いた前記放電動作は、所定の抵抗値を有する第１の放電抵抗を用いて前記放電動作を行い、前記電源ラインの電位の変化が検出された場合には、前記第１の放電抵抗よりも低い抵抗値を有する第２の放電抵抗を用いて前記放電動作を継続することを特徴とする。
【発明の効果】
【００４０】
本発明によれば、表示パネルに所望の画像情報を表示させるための駆動信号（走査信号）を出力する表示駆動装置（ゲートドライバ）及び当該表示駆動装置を備えた表示装置において、駆動信号の信号レベルを規定するための電源電圧（駆動電圧）が供給される電源ラインに放電手段が設けられ、上記電源電圧を供給する電源回路（電源供給手段）が、チャージポンプ回路を備えた構成であるか、専用電源からなる構成であるかによって、上記放電手段を用いた放電方式（強制放電）と、リーク電流による放電方式（自然放電）とを切り換える放電モード制御手段（ＶＧＬモードレジスタ）を備えた構成を有している。
【００４１】
このような構成によれば、電源回路の態様に関わらず、単一の構成を有する表示駆動装置（又は、当該表示駆動装置を備えた表示装置）によって、良好に電源電圧が供給されるとともに、表示パネルの表示状態が通常の表示状態から待機状態（スタンバイ状態）に移行した際においても、電源回路の態様に応じた放電方式を設定することができ、電源電圧が供給される電源ラインの電荷を良好に放電することができる。
【００４２】
これにより、電源回路がチャージポンプ回路を備えた構成である場合には、上記放電手段を用いた放電方式（強制放電）により、電源ラインに蓄積された電荷を迅速かつ十分に放電してスタンバイ状態に移行させることができるので、通常の表示状態からスタンバイ状態への移行に際して、残像の発生や液晶の劣化を抑制することができる。
【００４３】
また、スタンバイ状態から通常表示状態に復起する際に、電源ラインの電荷が十分に放電されているので、電源ラインに残留する電荷（電位）に起因して、他の駆動装置や制御装置よりも先に駆動電源が投入されてしまい、表示誤動作が発生するという現象を防止することができる。
【００４４】
また、本発明によれば、上記放電手段を用いた放電方式（強制放電）により放電動作を実行した場合の、電源ラインの電位変化を検出する電位変化検出手段、及び、放電方式（放電手段の動作状態）を切り換え制御する放電動作制御手段を設けることにより、電源回路がチャージポンプ回路を備えた構成であるか、専用電源であるかを判別（判定）することができ、当該電位変化の検出結果に基づいて、上記放電手段を用いた放電方式（強制放電）を継続するか、あるいは、該放電方式による放電動作を中断（停止）して、リーク電流による放電方式（自然放電）に切り換えるか、を自動的に設定制御することができる。
【００４５】
これにより、本発明に係る表示駆動装置、又は、当該表示駆動装置を備えた表示装置に電源回路を接続するだけで、通常表示状態からスタンバイ状態に移行する際に、当該電源回路の態様に応じた放電方式が自動的に設定されるので、当該設定に係る作業工数を削減することができるとともに、人為的な設定ミスによる残像の発生や液晶の劣化、表示誤動作の発生を抑制することができる。
【００４６】
また、上記電源回路が専用電源からなる場合には、放電手段を用いた放電方式（強制放電）による放電動作を中断（停止）して、リーク電流による放電方式（自然放電）に切り換えることにより、比較的短い時間で強制放電による放電動作を停止させることができるので、当該専用電源から流れる電流量を抑制して、消費電力を低減することができる。
【００４７】
さらに、上記放電手段として、抵抗値の異なる第１の放電抵抗と第２の放電抵抗とを有し、抵抗値の大きい第１の放電抵抗を用いて上記放電動作（強制放電）を実行した際の、電源ラインの電位変化に応じて、抵抗値の小さい第２の放電抵抗を用いて上記放電動作を継続するか、放電動作を中断して、自然放電による放電動作を実行するか、を設定制御する構成を適用することもできる。
【００４８】
これによれば、電源回路がチャージポンプ回路を備えた構成の場合には、放電抵抗の抵抗値を低くして電源ラインからの放電を促進することができるので、通常表示状態からスタンバイ状態への移行に要する時間を短縮することができ、一方、電源回路が専用電源からなる構成の場合には、放電抵抗の抵抗値が高い状態で放電動作が継続されるので、当該放電動作により流れる電流量を抑制して、消費電力を低減することができるとともに、専用電源の電流供給能力を低く設定することができる。
【発明を実施するための最良の形態】
【００４９】
以下、本発明に係る表示駆動装置及び表示装置並びにその駆動制御方法について、実施の形態を示して詳しく説明する。
まず、本発明に係る表示駆動装置を適用可能な表示装置（液晶表示装置）について、図面を参照しながら説明する。
【００５０】
図１は、本発明に係る表示装置の構成を適用した液晶表示装置の一実施形態を示す概略ブロック図である。ここでは、上述した従来技術（図１２）と同等の構成については、同等又は同一の符号を付して説明する。
図１に示すように、本実施形態に係る液晶表示装置１００は、大別して、上述した従来技術（図１２参照）と同等の構成を有する液晶表示パネル（表示パネル）１０、ゲートドライバ（表示駆動装置、走査駆動回路）２０、ソースドライバ（信号駆動回路）３０、ＬＣＤコントローラ４０、ＲＧＢデコーダ５０、反転アンプ６０及びコモン信号駆動アンプ（駆動アンプ）７０に加え、電源回路８０を備えた構成を有している。
【００５１】
以下、上述した各構成について、詳しく説明する。
液晶表示パネル１０は、上述した従来技術に示した構成（図１２）と同様に、相互に直交して配設された複数の走査ラインＳＬ及びデータラインＤＬの各交点近傍に、画素トランジスタ（画素ＴＦＴ）を介して、画素電極及び共通電極からなる液晶容量Ｃlcと蓄積容量ＣcsとがデータラインＤＬに並列に接続された複数の表示画素Ｐｘが、マトリクス状に配列された構成を有している。
【００５２】
ゲートドライバ２０は、上記液晶表示パネル１０の行方向に配設された各走査ラインＳＬに接続され、ＬＣＤコントローラ４０から出力される垂直制御信号（後述するゲートラインアウトプットイネーブル信号ＧＯＥ、ゲートクロックＧＰＣＫ、ゲートスタート信号ＧＳＲＴ等）に基づいて、各走査ラインＳＬに走査信号（ゲートパルス；駆動信号）を順次印加して、当該行の表示画素Ｐｘ群を選択状態（画素ＴＦＴをオン状態）に設定する。
【００５３】
また、ソースドライバ３０は、上記液晶表示パネル１０の列方向に配設された各データラインＤＬに接続され、ＬＣＤコントローラ４０から出力される水平制御信号に基づいて、Ｒ、Ｇ、Ｂ各色の輝度信号を１行単位で取り込んで保持し、上記ゲートドライバ２０により選択状態に設定された行の表示画素Ｐｘ群に対して、保持した輝度信号に対応する表示信号を、各データラインＤＬを介して一斉に供給する。
【００５４】
ＲＧＢデコーダ５０は、例えば、液晶表示装置の外部から供給される映像信号（コンポジットビデオ信号）から水平同期信号Ｈ、垂直同期信号Ｖ及びシステムクロックＣＳＹを抽出してＬＣＤコントローラ４０に供給するとともに、ペデスタルクランプ、クロマ処理等を実行して、上記映像信号に含まれるＲ、Ｇ、Ｂの各色信号（ＲＧＢ信号）を抽出して、反転アンプ６０に供給する。
反転アンプ６０は、ＬＣＤコントローラ６０から供給される極性反転信号ＦＲＰに基づいて、ＲＧＢ信号を反転処理して輝度信号（ＲＧＢ反転信号）としてソースドライバ３０に出力する。
【００５５】
ＬＣＤコントローラ４０は、ＲＧＢデコーダ５０から供給される水平同期信号Ｈ、垂直同期信号Ｖ及びコンポジット同期信号ＣＳＹに基づいて、極性反転信号ＦＲＰ等を生成して、反転アンプ６０及びコモン信号駆動アンプ７０に出力するとともに、上述した各種水平制御信号及び垂直制御信号を生成して、ゲートドライバ２０及びソースドライバ３０に供給する。
【００５６】
コモン信号駆動アンプ７０は、ＬＣＤコントローラ４０から出力される極性反転信号ＦＲＰに基づいて、各表示画素Ｐｘの画素電極に印加される表示信号に対して、各表示画素Ｐｘに共通に設けられた共通電極に印加されるコモン信号電圧Ｖcomの極性が反転するように駆動制御する。
【００５７】
電源回路８０は、少なくともゲートドライバ２０及びソースドライバ３０における論理制御に用いられる駆動電圧ＶＤＤ、ＶＳＳや、液晶表示パネル１０に印加する走査信号や表示信号の電圧レベル（信号レベル）を設定するための駆動電圧ＶＧＨ、ＶＧＬ、ＶＳＨを生成して、ゲートドライバ２０及びソースドライバ３０に供給する電源供給手段であって、例えば、上述した従来技術と同様に、図示を省略した電源（例えば、電源電池）から供給される電源電圧（駆動電圧ＶＤＤ、ＶＧＨ、ＶＳＨ）に基づいて、チャージポンプ回路により、上記駆動電圧ＶＧＬを生成して供給するものであってもよいし、電源回路８０自体が上記各駆動電圧ＶＤＤ、ＶＧＨ、ＶＳＨ、ＶＧＬを個別に出力する専用電源（以下、便宜的に「外部専用電源」と記す）からなるものであってもよい。
【００５８】
すなわち、本実施形態に係る液晶表示装置１００においては、駆動電圧の供給源となる電源回路８０の態様に関わらず、単一の構成を有するゲートドライバ及びソースドライバ（もしくは、これらのドライバと表示パネルからなるパネルモジュール）によって、各駆動電圧を取り込むことができるように構成されている。ここで、上記各駆動電圧ＶＤＤ、ＶＧＨ、ＶＳＨ、ＶＧＬは、チャージポンプ回路を備えた電源回路においては、液晶表示パネル１０における画像情報の表示状態に応じて（連動して）供給、遮断が制御され、一方、外部専用電源からなる電源回路においては、液晶表示パネル１０における画像情報の表示状態とは独立して供給、遮断が制御される。
【００５９】
なお、上述した従来技術と同様に、駆動電圧ＶＧＨは走査信号のハイレベルを規定する電圧（オン電圧：正電圧）を有し、駆動電圧ＶＧＬは走査信号のローレベルを規定する電圧（オフ電圧：負電圧）を有し、駆動電圧ＶＤＤ、ＶＳＳはゲートドライバ２０及びソースドライバ３０における論理駆動電圧（ＶＳＳは、接地電位Ｖgndであってもよい）であり、駆動電圧ＶＳＨは表示信号の階調電圧を規定する駆動電圧である。
【００６０】
また、ゲートドライバ２０及びソースドライバ３０は、例えば、液晶表示パネル１０が形成される絶縁性基板（図示を省略）上に、薄膜トランジスタ等を用いて一体的に形成された構成を有するものであってもよいし、また、液晶表示パネル１０が形成された絶縁性基板上に、ドライバＩＣの形態を有するゲートドライバ２０及びソースドライバ３０がアセンブリされた構成（モジュール化された構成；パネルモジュール）を有するものであってもよい。
【００６１】
次に、本発明に係る表示駆動装置について、実施形態を示して具体的に説明する。
＜表示駆動装置の第１の実施形態＞
図２は、本発明に係る表示駆動装置の第１の実施形態を示す要部構成図である。ここで、本実施形態においては、上記電源回路から駆動電圧ＶＧＬが供給されるゲートドライバ、特に、駆動電圧ＶＧＬの供給部の構成について詳しく説明する。
【００６２】
本実施形態に係る表示駆動装置（ゲートドライバ）は、図２（ａ）、（ｂ）に示すように、液晶表示パネル１０に配設された各走査ラインＳＬに対して、順次走査信号を印加するためのシフトレジスタ２１、レベルシフタ２２、出力部２３からなる周知の構成に加え、少なくとも、ドライバ形成領域の端部（又は、ドライバチップ）に設けられた接続端子ＴＭＤに接続されたＶＤＤ電源ライン（電源ライン）ＬＮＤと、接続端子ＴＭＨに接続されたＶＧＨ電源ラインＬＮＨと、接続端子ＴＭＬに接続されたＶＧＬ電源ラインＬＮＬと、該ＶＧＬ電源ラインＬＮＬに一端側が接続された放電抵抗ＲＬＡと、該放電抵抗ＲＬＡの他端側に一方の開閉接点が接続され、他方の開閉接点が接地電位に接続されたスイッチＳＷＡと、を備えた構成を有している。すなわち、少なくともＶＧＬ電源ラインＬＮＬと接地電位の間に、放電抵抗ＲＬＡとスイッチＳＷＡからなる直列回路（放電手段）が接続された構成を有している。
【００６３】
ここで、図２（ｂ）に示すように、ＶＤＤ電源ラインＬＮＤ、ＶＧＨ電源ラインＬＮＨ及びＶＧＬ電源ラインＬＮＬには、ゲートドライバ２０外に設けられた電源回路８０（図示を省略）から個別の接続端子ＴＭＤ、ＴＭＨ、ＴＭＬを介して各駆動電圧（電源電圧）ＶＤＤ、ＶＧＨ、ＶＧＬが印加される。各駆動電圧ＶＧＨ、ＶＧＬは、レベルシフタ２２に供給され、駆動電圧ＶＤＤは、図示を省略した駆動電圧ＶＳＳ（例えば、接地電位Ｖgnd）とともに、ゲートドライバ２０内の各部に供給される。
【００６４】
また、ＶＧＬ電源ラインＬＮＬに放電抵抗ＲＬＡを介して接続されたスイッチＳＷＡの開閉状態（オン、オフ状態）は、モード制御信号ＭＤの信号レベルにより制御される。このモード制御信号ＭＤは、例えば、ＬＣＤコントローラ４０から垂直制御信号として供給されるＶＧＬ処理信号に基づいて、ＶＧＬモードレジスタ（放電モード制御手段）２４により生成されて出力される。
【００６５】
ここで、ＶＧＬモードレジスタ２４は、ゲートドライバ２０内に設けられているものであってもよいし、ゲートドライバ２０外に設けられているものであってもよい。また、同等の機能がＬＣＤコントローラ４０に設けられ、垂直制御信号として、ゲートスタート信号やクロック信号等とともにモード制御信号ＭＤが図示を省略した接続端子を介して、ゲートドライバ２０に供給される構成を有するものであってもよい。
【００６６】
なお、図２（ａ）に示すように、シフトレジスタ２１は、ＬＣＤコントローラ４０から垂直制御信号として供給されるゲートクロックＧＰＣＫ及びゲートスタート信号ＧＳＲＴに基づいて、各行の走査ラインに対応するシフト信号を順次出力し、レベルシフタ２２は、上記電源回路８０から供給される駆動電圧ＶＧＨ、ＶＧＬに基づいて、上記シフト信号を所定の信号レベル（ＶＧＨからなるハイレベル、ＶＧＬからなるローレベル）を有する走査信号に変換し、出力部２３は、垂直制御信号として供給されるゲートラインアウトプットイネーブル信号ＧＯＥに基づいて、各行の走査ラインＳＬへの上記走査信号の印加タイミングを制御する。
【００６７】
次いで、このような構成を有するゲートドライバ２０において、液晶表示パネル１０に表示される画像情報の表示が通常の状態（通常表示状態）から、液晶表示パネル１０ヘの画像情報の表示を消して駆動電源の供給をオフするスタンバイ状態に移行する際の制御動作について説明する。
図３は、本実施形態に係る表示駆動装置の制御動作を示すタイミングチャートである。
【００６８】
上述したゲートドライバ２０において、各駆動電圧ＶＤＤ、ＶＧＨ、ＶＧＬを供給する電源回路８０が、上述した従来技術（図１３参照）と同様に、外部（電源部）から供給される駆動電圧ＶＤＤ、ＶＳＳ、ＶＧＨに基づいて、チャージポンプ回路により駆動電圧ＶＧＬを生成する回路構成を有している場合には、図３に示すように、通常表示状態からスタンバイ状態への移行時に、ＶＧＬ処理動作を実行するためのＶＧＬ処理期間を設定する。
【００６９】
ここで、ＶＧＬ処理期間は、少なくとも、駆動電圧ＶＧＬがチャージポンプ回路を用いて生成される構成において、ＶＧＬ電源ラインに残留する電荷を十分放電して、当該ＶＧＬ電源ラインの電位が接地電位Ｖgnd（０Ｖ）に収束した状態に移行するまでに要する時間と同等、又は、それよりも長くなるように設定する。詳しくは、後述する。
【００７０】
まず、通常表示期間（通常表示状態）においては、図２（ｂ）に示した回路構成において、電源回路８０から接続端子ＴＭＬを介して駆動電圧ＶＧＬが入力されることにより、ＶＧＬ電源ラインＬＮＬには、電位ＶＧＬが印加される。ここで、接続端子ＴＭＬに駆動電圧ＶＧＬが入力された状態においては、電源回路８０と接続端子ＴＭＬとを接続する電源供給ラインに寄生する配線容量ＣＬ（例えば、２．２μＦ）に、駆動電圧ＶＧＬに対応する電荷が蓄積されて、ＶＧＬ電源ラインＬＮＬの電位（ＶＧＬ）が保持される。
【００７１】
この通常表示期間においては、例えば、ＶＧＬモードレジスタ２４がゲートドライバ２０内に設けられている場合には、図３に示すように、表示状態を規定するスタンバイ信号がハイレベルに保持された状態において、例えば、ＬＣＤコントローラ４０から垂直制御信号として供給されるローレベルのＶＧＬ処理信号がＶＧＬモードレジスタ２４に入力されることにより、ローレベル（オフレベル）のモード制御信号ＭＤが生成されてスイッチＳＷＡに出力される。これにより、スイッチＳＷＡはオフ状態となり、ＶＧＬ電源ラインＬＮＬの電位ＶＧＬが適正に保持される。
【００７２】
次いで、表示パネルが通常の表示状態からスタンバイ状態に移行する際に設定されるＶＧＬ処理期間においては、まず、チャージポンプ回路を備えた電源回路８０からの各駆動電圧ＶＤＤ、ＶＧＨ、ＶＧＬの供給が遮断される。この遮断動作直後においては、電源回路８０と各接続端子ＴＭＤ、ＴＭＨ、ＴＭＬ間、及び、各電源ラインＬＮＤ、ＬＮＨ、ＬＮＬに寄生する配線容量により、各電源ラインＬＮＤ、ＬＮＨ、ＬＮＬの電位が保持される。
【００７３】
このタイミングに同期して、ＬＣＤコントローラ４０からハイレベルのＶＧＬ処理信号が垂直制御信号として供給されることにより、ＶＧＬモードレジスタ２４によりハイレベル（オンレベル）のモード制御信号ＭＤが生成されてスイッチＳＷＡに出力される。これにより、スイッチＳＷＡはオン状態となり、ＶＧＬ電源ラインＬＮＬは、放電抵抗ＲＬＡ（例えば、１０ｋΩ）及びスイッチＳＷＡを介して接地電位Ｖgndに接続されるので、通常表示状態においてＶＧＬ電源ラインＬＮＬに蓄積された電荷が放電されて、当該電位ＶＧＬは比較的短い時間で接地電位Ｖgnd（０Ｖ）に変化する。
【００７４】
そして、所定のＶＧＬ処理期間が経過して、表示状態を規定するスタンバイ信号がローレベルに切り替わるタイミングに同期して、ＬＣＤコントローラ４０からローレベルのＶＧＬ処理信号が供給されることにより、ＶＧＬモードレジスタ２４によりローレベル（オフレベル）のモード制御信号ＭＤがスイッチＳＷＡに出力されて、スイッチＳＷＡはオフ状態となり、ＶＧＬ電源ラインＬＮＬは、接地電位Ｖgndから電気的に遮断される。これにより、ＶＧＬ電源ラインＬＮＬは、接地電位Ｖgndから電気的に遮断されるので、ＶＧＬ電源ラインＬＮＬの電位が０Ｖ（接地電位Ｖgnd）に保持されたスタンバイ状態に移行する。
【００７５】
したがって、駆動電圧ＶＧＬが電源回路８０に設けられたチャージポンプ回路により生成されて供給される場合には、ＶＧＬ処理期間（ＶＧＬ処理動作）において、ＶＧＬ電源ラインＬＮＬが接地電位Ｖgndに接続されるため、ＶＧＬ電源ラインＬＮＬの電位ＶＧＬが速やかに接地電位Ｖgndに変化する。
【００７６】
一方、ゲートドライバ２０に各駆動電圧ＶＤＤ、ＶＧＨ、ＶＧＬを供給する電源回路８０が、個別の外部専用電源により構成されている場合（すなわち、チャージポンプ回路を適用しない構成の場合）には、上述したようなＶＧＬ処理期間を設けない。すなわち、通常表示状態からスタンバイ状態への移行時において、スイッチＳＷＡをオフ状態に保持した状態で、各電源ラインＬＮＤ、ＬＮＨ、ＬＮＬへの駆動電圧ＶＤＤ、ＶＧＨ、ＶＧＬの供給を、電源回路８０（外部専用電源）において直接遮断（電源ＯＦＦ）するように設定する。すなわち、ＬＣＤコントローラ４０から供給されるＶＧＬ処理信号をローレベルに保持することにより、ＶＧＬモードレジスタ２４から出力されるモード制御信号ＭＤの信号レベルをローレベル（オフレベル）に保持して、ＶＧＬ電源ラインＬＮＬが接地電位Ｖgndに接続されない状態が維持される。
【００７７】
これにより、ＶＧＬ電源ラインＬＮＬは接地電位Ｖgndから電気的に遮断されるので、ＶＧＬ電源ラインＬＮＬに蓄積された電荷は、放電抵抗ＲＬＡ及びスイッチＳＷＡを介して放電されず、保護素子を介したリーク電流による自然放電によってのみ放電されて、ＶＧＬ電源ラインＬＮＬの電位が徐々に接地電位Ｖgndに変化して、スタンバイ状態に移行する。
【００７８】
このように、本実施形態に係る表示駆動装置によれば、駆動電圧ＶＧＬを供給する電源回路の態様（チャージポンプ回路を備えた構成か、外部専用電源からなる構成か）に応じて、ＶＧＬ処理信号を操作してＶＧＬモードレジスタを制御することにより、通常表示状態からスタンバイ状態への移行時にＶＧＬ処理期間を設けて、ＶＧＬ電源ラインＬＮＬを接地電位Ｖgndに直接接続するか否かを任意に選択して設定することができる。
【００７９】
これにより、チャージポンプ回路を適用して駆動電圧ＶＧＬが生成、供給されている場合には、ＶＧＬ電源ラインＬＮＬを接地電位Ｖgndに接続して、ＶＧＬ電源ラインＬＮＬに蓄積された電荷を迅速に放電してスタンバイ状態に移行させることができ、通常表示状態からスタンバイ状態への移行に際して、残像の発生や液晶の劣化を抑制することができる。
【００８０】
また、液晶表示装置をスタンバイ状態から通常表示状態に復起する際、あるいは、電源を再投入する際に、ＶＧＬ電源ラインＬＮＬの電位が接地電位Ｖgndに設定されているので、ＶＧＬ電源ラインに残留する電荷（電位）に起因して、ゲートドライバ２０以外のドライバやＬＣＤコントローラ４０よりも先にゲートドライバ２０に駆動電源が投入されてしまい、表示誤動作が発生するという現象を防止することができる。
【００８１】
＜表示駆動装置の第２の実施形態＞
図４は、本発明に係る表示駆動装置の第２の実施形態を示す要部構成図である。なお、上述した第１の実施形態と同等の構成については、その説明を簡略化する。また、ここでは、駆動電圧ＶＧＬの供給部についてのみ詳しく説明する。
【００８２】
上述した第１の実施形態においては、電源回路８０の態様、すなわち、駆動電圧ＶＧＬがチャージポンプ回路により生成、供給される構成であるか、外部専用電源により供給される構成であるかに応じて、ＶＧＬ処理信号を任意に（例えば、ユーザやメーカ等が）操作することにより、ＶＧＬモードレジスタ２４の設定を切り換えて、放電動作の有無（ＶＧＬ処理期間の設定、非設定）を制御する構成を示したが、本実施形態においては、電源回路８０の態様を自動的に判別して、より適切な放電方法を適用して通常表示状態からスタンバイ状態に移行するように構成されている。
【００８３】
すなわち、本実施形態に係る表示駆動装置（ゲートドライバ）は、図４に示すように、少なくとも、接続端子ＴＭＬを介して駆動電圧ＶＧＬが印加されるＶＧＬ電源ラインＬＮＬに一端側が接続された放電抵抗ＲＬＡと、該放電抵抗ＲＬＡの他端側と接地電位との間に接続されたスイッチＳＷＡと、ＶＧＬ電源ラインＬＮＬに一端側が接続された容量素子（キャパシタ）ＣＢと、該容量素子ＣＢの他端側と接地電位Ｖgndとの間に接続されたスイッチＳＷＢと、駆動電圧ＶＧＨが一端側に印加される抵抗ＲＬＣと、該抵抗ＲＬＣの他端側と接地電位Ｖgndとの間に接続されたスイッチＳＷＣと、抵抗ＲＬＣとスイッチＳＷＣとの接続接点ＮＣの電位を入力とするレベルシフタ２５と、該レベルシフタ２５の出力信号を入力とするタイマー２６と、タイマー２６の検出信号、及び、ＬＣＤコントローラ４０から供給されるＶＧＬ処理信号を入力とするＶＧＬモードレジスタ２４と、を備えた構成を有している。
【００８４】
ここで、容量素子ＣＢ及びスイッチＳＷＢからなる直列回路、抵抗ＲＬＣ及びスイッチＳＷＣからなる直列回路、レベルシフタ２５及びタイマー２６は、本発明における電源判別手段を構成している。特に、容量素子ＣＢ及びスイッチＳＷＢからなる直列回路と、抵抗ＲＬＣ及びスイッチＳＷＣからなる直列回路は、本発明における電位変化検出手段を構成し、レベルシフタ２５及びタイマー２６、ＶＧＬモードレジスタ２４は、本発明における放電動作制御手段を構成し、さらに、タイマー２６は、本発明における放電停止手段を構成している。
【００８５】
ここで、スイッチＳＷＡの開閉状態は、モード制御信号ＭＤの信号レベルにより制御され、スイッチＳＷＢの開閉状態は、モード制御信号ＭＤをインバータ２７により反転させた信号（反転信号）ＭＤ＊（図４中、符号参照）の信号レベルにより制御され、スイッチＳＷＣの開閉状態は、容量素子ＣＢとスイッチＳＷＢとの接続接点ＮＢの電位Ｖnbに基づいて制御される。このモード制御信号ＭＤは、例えば、ＬＣＤコントローラ４０から垂直制御信号として供給されるＶＧＬ処理信号、及び、後述するタイマー２６から出力される検出信号に基づいて、ＶＧＬモードレジスタ２４により信号レベルが設定される。
【００８６】
また、レベルシフタ２５は、接続接点ＮＣの電位を、駆動電圧ＶＧＨに基づくハイレベル、又は、駆動電圧ＶＧＬに基づくローレベルに変換して後段のタイマー２６に出力する。タイマー２６は、少なくとも、後述する通常表示状態からスタンバイ状態に移行する際に設定されるＶＧＬ処理期間において、タイマー計測動作を実行し、所定時間の経過を検出することにより、後段のＶＧＬモードレジスタ２４に検出信号を出力する。
【００８７】
例えば、タイマー２６は、レベルシフタ２５からの出力信号（すなわち、接続接点ＮＣの電位）がハイレベルの状態であって、かつ、ＶＧＬ処理信号（又は、モード制御信号ＭＤ）がハイレベルに変化するタイミングでタイマー計測動作を開始し、当該タイマー計測動作により予め設定された所定の時間経過を検出することにより、ＶＧＬモードレジスタ２４に検出信号を出力するとともに、上記タイマー計測動作期間中に、レベルシフタ２５からの出力信号がローレベルに変化した場合には、当該タイマー計測動作を停止する（すなわち、検出信号を出力しない）構成を適用することができる。
【００８８】
なお、ＶＧＬモードレジスタ２４、レベルシフタ２５、タイマー２６は、ゲートドライバ２０内に設けられているものであってもよいし、少なくともいずれかが、ゲートドライバ２０外に設けられているものであってもよい。また、同等の機能がＬＣＤコントローラ４０に設けられた構成を有するものであってもよい。
【００８９】
次いで、このような構成を有するゲートドライバ２０において、通常表示状態からスタンバイ状態に移行する際の制御動作について説明する。
図５は、本実施形態に係る表示駆動装置において、チャージポンプ回路から駆動電圧ＶＧＬを供給する電源回路を適用した場合の制御動作を示すタイミングチャートであり、図６は、本実施形態に係る表示駆動装置において、外部専用電源から駆動電圧ＶＧＬを供給する電源回路を適用した場合の制御動作を示すタイミングチャートである。図７は、本実施形態に係る表示駆動装置を備えた表示装置における全体動作（電源判別処理）を示すフローチャートである。
【００９０】
本実施形態に係るゲートドライバ２０においては、図５、図６に示すように、駆動電圧ＶＧＬを供給する電源回路８０の態様（チャージポンプ回路を備えた構成、又は、外部専用電源を備えた構成）に関わらず、通常表示状態からスタンバイ状態に移行する際に、ＶＧＬ処理動作を実行するためのＶＧＬ処理期間を設定する。
【００９１】
まず、通常表示期間（通常表示状態）においては、上述した第１の実施形態と同様に、電源回路８０から接続端子ＴＭＬを介して駆動電圧ＶＧＬ（例えば、−１５Ｖ）が入力されることにより、ＶＧＬ電源ラインＬＮＬに当該電位ＶＧＬが印加された状態に保持される。
【００９２】
すなわち、表示状態を規定するスタンバイ信号がハイレベルに保持された状態において、ＬＣＤコントローラ４０からローレベルのＶＧＬ処理信号がＶＧＬモードレジスタ２４に供給されることにより、ローレベルのモード切換信号ＭＤが出力されて、スイッチＳＷＡがオフ状態に保持されるとともに、モード切換信号ＭＤの反転信号ＭＤ＊により、スイッチＳＷＢがオン状態に保持される。したがって、この通常表示期間においては、ＶＧＬ電源ラインＬＮＬに接続された容量素子ＣＢ及び配線容量ＣＬに駆動電圧ＶＧＬに応じた電荷が蓄積される。
【００９３】
なお、スイッチＳＷＢがオン状態に保持されることにより、接続接点ＮＢの電位Ｖnbがローレベルに保持されるので、スイッチＳＷＣがオフ状態に保持されて、接続接点ＮＣの電位がシフトレジスタ２６を介して、ハイレベルの出力信号としてタイマー２６に入力される。このとき、当該タイマー２６は、ＶＧＬ処理期間中でないため（すなわち、ローレベルのＶＧＬ処理信号、又は、ローレベルのモード切換信号ＭＤが入力されているため）、タイマー計測動作を実行しない。
【００９４】
次いで、通常表示状態からスタンバイ状態に移行するＶＧＬ処理期間においては、駆動電圧ＶＧＬが電源回路８０に設けられたチャージポンプ回路により生成、供給されている場合には、図５に示すように、まず、電源回路８０からの駆動電圧ＶＧＬの供給が遮断される。これにより、ＶＧＬ電源ラインＬＮＬの電位は、当該電源ラインＬＮＬに寄生する配線容量ＣＬ（例えば、２．２μＦ）及び容量素子ＣＢに蓄積された電荷によって保持される。
【００９５】
また、このＶＧＬ処理期間の開始タイミングに同期して、ＬＣＤコントローラ４０からハイレベルのＶＧＬ処理信号が供給されることにより、ＶＧＬモードレジスタ２４からハイレベル（オンレベル）のモード制御信号ＭＤが出力されて、スイッチＳＷＡがオン状態に設定されるとともに、ローレベル（オフレベル）の反転信号ＭＤ＊が生成されることにより、スイッチＳＷＢがオフ状態に設定される。さらに、このとき、タイマー２６は、レベルシフタ２５からハイレベルの出力信号が入力された状態で、ハイレベルのＶＧＬ処理信号（又は、ハイレベルのモード切換信号ＭＤ）が入力されることにより、タイマー計測動作を開始する。
【００９６】
これにより、ＶＧＬ電源ラインＬＮＬは、放電抵抗ＲＬＡ（例えば、１０ｋΩ）及びスイッチＳＷＡを介して接地電位Ｖgndに接続されるので、通常表示状態においてＶＧＬ電源ラインＬＮＬ（配線容量ＣＬ）に蓄積された電荷が接地電位Ｖgndに放電されて、当該電位は−１５Ｖ（駆動電圧ＶＧＬ）から徐々に上昇して、０Ｖ（接地電位Ｖgnd）に収束するように変化する。
【００９７】
なお、スイッチＳＷＢがオフ状態に設定されているので、この放電動作に伴って、ＶＧＬ電源ラインＬＮＬの電位が上昇（−１５Ｖ→０Ｖ）すると、容量素子ＣＢに蓄積された電荷は保持されるため、ＶＧＬ電源ラインＬＮＬに接続された容量素子ＣＢとスイッチＳＷＢとの接続接点ＮＢの電位Ｖnbも上昇する。そして、この接続接点ＮＢの電位ＶnbがスイッチＳＷＣのしきい値電圧Ｖthcに達すると、スイッチＳＷＣがオン動作する。これにより、抵抗ＲＬＣとスイッチＳＷＣとの接続接点ＮＣの電位が接地電位Ｖgndに変化し、レベルシフタ２５に入力される電位がハイレベルからローレベルに切り替わり、タイマー２６にローレベルの出力信号が入力されるので、上記タイマー計測動作が停止（カウント中断）して、予め設定された所定の時間経過を検出する検出信号のＶＧＬモードレジスタ２４への出力は行われない。
【００９８】
そして、所定のＶＧＬ処理期間が経過して、表示状態を規定するスタンバイ信号がローレベルに切り替わるタイミングに同期して、ＬＣＤコントローラ４０からローレベルのＶＧＬ処理信号が供給されることにより、ＶＧＬモードレジスタ２４からローレベル（オフレベル）のモード制御信号ＭＤが出力されて、スイッチＳＷＡがオフ状態に設定されるとともに、ハイレベル（オンレベル）の反転信号ＭＤ＊が生成されることにより、スイッチＳＷＢがオン状態に設定される。
【００９９】
これにより、ＶＧＬ電源ラインＬＮＬは、接地電位Ｖgndから電気的に遮断されるとともに、接続接点ＮＢが接地電位Ｖgndに接続されて、その電位Ｖnbがローレベル（接地電位Ｖgnd）に変化するので、ＶＧＬ電源ラインＬＮＬの電位が０Ｖ（接地電位Ｖgnd）に保持されたスタンバイ状態に移行する。
【０１００】
一方、駆動電圧ＶＧＬが外部専用電源を備えた電源回路８０により供給されている場合（チャージポンプ回路を適用しない構成の場合）には、図６に示すように、ＶＧＬ処理期間において、電源回路８０からの駆動電圧ＶＧＬの供給を継続した状態を保持する。これにより、ＶＧＬ電源ラインＬＮＬの電位は、電源回路８０から印加される駆動電圧ＶＧＬに保持される。
【０１０１】
また、このＶＧＬ処理期間の開始タイミングに同期して、ＬＣＤコントローラ４０からハイレベルのＶＧＬ処理信号が供給されることにより、ＶＧＬモードレジスタ２４からハイレベル（オンレベル）のモード制御信号ＭＤが出力されて、スイッチＳＷＡがオン状態に設定されるとともに、ローレベル（オフレベル）の反転信号ＭＤ＊が生成されることにより、スイッチＳＷＢがオフ状態に設定される。このとき、タイマー２６は、ハイレベルのＶＧＬ処理信号（又は、ハイレベルのモード切換信号ＭＤ）が入力されるとともに、レベルシフタ２５からハイレベルの出力信号が入力されることにより、タイマー計測動作を開始する。
【０１０２】
これにより、ＶＧＬ電源ラインＬＮＬは、放電抵抗ＲＬＡ及びスイッチＳＷＡを介して接地電位Ｖgndに接続されるので、ＶＧＬ電源ラインＬＮＬから接地電位Ｖgndに電荷が放電されるが、ＶＧＬ電源ラインＬＮＬは、外部専用電源（電源回路８０）に接続され、駆動電圧ＶＧＬ（例えば、−１５Ｖ）が印加された状態にあるので、外部専用電源として駆動電圧ＶＧＬに応じた十分な電荷（例えば、−１．５ｍＡの電流）を供給することができる電流供給能力を備えたものを適用した場合には、上記放電動作が行われた場合であっても、ＶＧＬ供給ラインＬＮＬの電位はほとんど変化しない。なお、本実施形態においては、駆動電圧ＶＧＬとして負の電圧（例えば、−１５Ｖ）を設定しているので、上記放電動作は、接地電位側からＶＧＬ供給ラインＬＮＬ（電源回路）方向に、所定の電流（１．５ｍＡ）が引き込まれるように流れる。
【０１０３】
したがって、ＶＧＬ電源ラインＬＮＬに接続された容量素子ＣＢとスイッチＳＷＢとの接続接点ＮＢの電位Ｖnbもローレベル（接地電位Ｖgnd）を保持することになるので、スイッチＳＷＣはオフ状態を保持し、レベルシフタ２５へ入力される接続接点ＮＣの電位は、ハイレベルに保持される。これにより、タイマー２６にはレベルシフタ２５からハイレベルの出力信号が入力されるので、タイマー計測動作が継続される。
【０１０４】
そして、タイマー２６によりＶＧＬ処理期間よりも短く設定された、所定の時間経過（カウント終了）が検出されると、タイマー２６からＶＧＬモードレジスタ２４に検出信号が出力されることにより、ＶＧＬ処理信号の信号レベルに関わらず、ＶＧＬモードレジスタ２４によりモード制御信号ＭＤの信号レベルがハイレベルからローレベルに切り替わる。これにより、スイッチＳＷＡがオフ状態に設定されることにより、ＶＧＬ電源ラインＬＮＬは、接地電位Ｖgndから電気的に遮断されて、放電動作が停止されるとともに、スイッチＳＷＢがオン状態に設定されることにより、接続接点ＮＢが接地電位Ｖgndに接続され、上述した通常表示状態と同等の状態に設定される。
【０１０５】
その後、所定のＶＧＬ処理期間が経過して、ＬＣＤコントローラ４０からローレベルのＶＧＬ処理信号が供給されることにより、ＶＧＬ処理期間からスタンバイ状態（ＶＧＬ電源ラインＬＮＬの電位は駆動電圧ＶＧＬに設定されているので、実質的なスタンバイ状態ではなく、制御動作上の形式的なスタンバイ状態）に移行する。なお、ここでは、タイマー２６から所定の時間経過を検出する検出信号が既に出力されていることから、ＶＧＬモードレジスタ２４からのモード制御信号ＭＤはローレベル（オフレベル）を保持する。
【０１０６】
そして、スタンバイ状態への移行後の任意のタイミングで、ＶＧＬ電源ラインＬＮＬへの駆動電圧ＶＧＬの供給を電源回路（外部専用電源）８０において直接遮断（電源ＯＦＦ）することにより、ＶＧＬ電源ラインＬＮＬに蓄積された電荷が、リーク電流による自然放電によって放電されて、ＶＧＬ電源ラインＬＮＬの電位が徐々に上昇して（負電圧のＶＧＬから０Ｖに収束するように変化して）、ゲートドライバ２０への電源電圧の供給が遮断された、実質的なスタンバイ状態（パワーセーブ状態）に移行する。
【０１０７】
このように、本実施形態に係る表示駆動装置によれば、駆動電圧ＶＧＬを供給する電源回路の態様（チャージポンプ回路を備えた構成か、外部専用電源からなる構成か）に関わらず、単一の回路構成を有するゲートドライバ（又は、該ゲートドライバを搭載したパネルモジュール）で、ＶＧＬ処理期間におけるＶＧＬ電源ラインの電位変化（又は、スイッチＳＷＣの開閉状態、あるいは、接続接点ＮＣの電位）に基づいて、電源回路の態様を判別して、ＶＧＬ電源ラインを接地電位に直接接続する放電方式（強制放電）、又は、リーク電流による放電方式（自然放電）のうち、より適切な放電方式が自動的に設定される。
【０１０８】
具体的には、本実施形態に係るゲートドライバ２０を備えた液晶表示装置１００において、任意の態様（チャージポンプ回路を備えた構成、又は、外部専用電源からなる構成）を有する電源回路８０を適用して画像情報を表示する駆動制御方法において、図７に示すように、通常の表示状態（Ｓ１０１）からスタンバイ状態に移行する際に、ＶＧＬ処理動作を実行する（ＶＧＬ処理期間を開始する；Ｓ１０２）。
【０１０９】
このＶＧＬ処理期間においては、その開始タイミングに同期して、駆動電圧ＶＧＬが供給されるＶＧＬ電源ラインに蓄積された電荷を、所定の放電抵抗ＲＬＡを介して接地電位Ｖgndに放電する放電動作が開始される。このとき、ＶＧＬ電源ラインＬＮＬに駆動電圧ＶＧＬを供給する電源回路８０がチャージポンプ回路により駆動電圧ＶＧＬを生成する構成を有している場合には、上記放電動作によりＶＧＬ電源ラインＬＮＬの電位が上昇（変化）し、一方、電源回路８０が外部専用電源により駆動電圧ＶＧＬを供給する構成を有している場合には、上記放電動作によってもＶＧＬ電源ラインＬＮＬの電位が変化しないので、この電位変化を検出することにより（Ｓ１０３）、電源回路８０がチャージポンプ回路を備えた構成であるか、外部専用電源であるかを判別（判定）することができる。
【０１１０】
ここで、電源回路８０がチャージポンプ回路を備えた構成であると判定された場合には（Ｓ１０４）、ＶＧＬ処理期間中、上記放電動作を継続する（Ｓ１０５）。この放電動作は、ＶＧＬ電源ラインＬＮＬの電位が接地電位Ｖgndに収束するまで継続する。
そして、ＶＧＬ処理期間が経過（終了）して、放電動作が終了されることにより（Ｓ１０６）、ゲートドライバ２０への電源電圧（駆動電圧ＶＧＬ）の供給が遮断され、かつ、ＶＧＬ電源ラインＬＮＬの電位が接地電位Ｖgndに設定されたスタンバイ状態に移行する（Ｓ１０７）。
【０１１１】
一方、電源回路８０が外部専用電源を備えた構成であると判定された場合には（Ｓ１０８）、上記放電動作を継続するが（Ｓ１０９）、電源回路８０からＶＧＬ電源ラインＬＮＬに駆動電圧ＶＧＬが印加され続けるので、ＶＧＬ電源ラインＬＮＬの電位はほとんど変化しない。そして、上記放電動作の開始から、予め設定された所定の時間が経過した時点で、放電動作が停止される（Ｓ１１０）。
【０１１２】
そして、ＶＧＬ処理期間が経過（終了）することにより（Ｓ１１１）、制御動作上の形式的なスタンバイ状態に移行するが、この状態においては、通常の表示状態と同様に、ゲートドライバ２０に電源電圧（駆動電圧ＶＧＬ）が供給され、かつ、ＶＧＬ電源ラインＬＮＬの電位が駆動電圧ＶＧＬに設定された状態に設定される。
【０１１３】
その後、電源回路８０を直接遮断（電源ＯＦＦ）することにより（Ｓ１１２）、ゲートドライバ２０への電源電圧（駆動電圧ＶＧＬ）の供給が遮断されると、ＶＧＬ電源ラインＬＮＬに蓄積された電荷がリーク電流によって徐々に放電（自然放電）される。この放電動作は、ＶＧＬ電源ラインＬＮＬの電位が接地電位Ｖgndに収束するまで継続し、当該放電動作が終了することにより、ゲートドライバ２０への電源電圧（駆動電圧ＶＧＬ）の供給が遮断され、かつ、ＶＧＬ電源ラインＬＮＬの電位が接地電位Ｖgndに設定された、実質的なスタンバイ状態に移行する（Ｓ１０７）。
【０１１４】
したがって、上述した第１の実施形態の作用効果に加え、電源回路の態様に関わらず、本実施形態に係るゲートドライバ（又は、当該ゲートドライバを備えたパネルモジュール）に電源回路を接続するだけで、通常表示状態からスタンバイ状態に移行する際に設定されたＶＧＬ処理期間におけるＶＧＬ電源ラインの電位変化に基づいて、電源回路の態様を判別し、人（ユーザやメーカ等）が介在することなく自動的により適切な放電方式を設定することができるので、当該設定に係る作業工数を削減することができるとともに、人為的な設定ミスによる残像の発生や液晶の劣化、表示誤動作の発生を抑制することができる。
【０１１５】
また、本実施形態においては、ＶＧＬ処理期間の開始タイミングに同期してタイマー計測動作を開始するタイマーを設けて、ＶＧＬ電源ラインの電位変化に基づいて放電動作を制御（継続、又は、停止）することにより、駆動電圧ＶＧＬがチャージポンプ回路により生成されている場合には、ＶＧＬ処理期間中、放電動作が行われるので、ＶＧＬ電源ラインの電位を十分接地電位に収束させることができるとともに、駆動電圧ＶＧＬが外部専用電源により供給されている場合には、ＶＧＬ処理期間よりも短い時間で放電動作を停止させることができるので、外部専用電源から流れる電流量を抑制して、消費電力を低減することができる。
【０１１６】
なお、本実施形態においては、電源回路として外部専用電源を適用して駆動電圧ＶＧＬを供給する場合、ＶＧＬ処理期間に実行される放電動作において、ＶＧＬ電源ライン（外部専用電源）から接地電位に放電される電荷量（電流量）を極力抑制するために、当該ＶＧＬ処理期間よりも短い所定の時間経過を検出して、放電動作を停止させるタイマーを設けた構成を示したが、本発明はこれに限定されるものではなく、ＶＧＬ処理期間が十分短い場合（あるいは、十分短く設定できる場合）には、タイマーを適用することなく、当該ＶＧＬ処理期間中、ＶＧＬ電源ライン（外部専用電源）から接地電位に電荷を放電し続けるようにした構成（すなわち、タイマーを備えない構成）を有するものであってもよい。
【０１１７】
また、本実施形態においては、外部専用電源を適用して駆動電圧ＶＧＬを供給する場合、ＶＧＬ処理期間に実行される放電動作において、ＶＧＬ電源ラインの電位が低下しないように、例えば、１．５ｍＡの比較的電流供給能力の大きい外部専用電源を適用する場合について説明したが、本発明はこれに限定されるものではなく、例えば、放電抵抗ＲＬＡの抵抗値を１０ｋΩよりも大きくすることにより、外部専用電源の電流供給能力（１．５ｍＡ）を小さくすることもできる。但し、この場合、チャージポンプ回路を適用した電源回路においても同等の電流供給能力を有している必要があるため、電流供給能力を小さく設定した場合には、放電動作の所要時間が増大してしまう可能性があり、放電抵抗ＲＬＡの抵抗値を極端に大きく設定することには一定の制約を伴う。
【０１１８】
＜表示駆動装置の第３の実施形態＞
図８は、本発明に係る表示駆動装置の第３の実施形態を示す要部構成図である。なお、上述した第１又は第２の実施形態と同等の構成については、その説明を簡略化する。また、ここでは、駆動電圧ＶＧＬの供給部についてのみ詳しく説明する。
【０１１９】
上述した第２の実施形態においては、ＶＧＬ処理期間におけるＶＧＬ電源ラインＬＮＬの電位変化に基づいて、電源回路８０の態様を自動的に判別して、より適切な放電方式を適用して通常表示状態からスタンバイ状態に移行する構成を示したが、本実施形態においては、第２の実施形態と同等の構成及び制御動作において、ＶＧＬ処理期間をより短縮するように構成されている。
【０１２０】
すなわち、本実施形態に係る表示駆動装置（ゲートドライバ）は、図８に示すように、上述した第２の実施形態に示した構成と同様に、接続端子ＴＭＬを介して駆動電圧ＶＧＬが印加されるＶＧＬ電源ラインＬＮＬと接地電位Ｖgndとの間に接続された放電抵抗（第１の放電抵抗）ＲＬＡ及びスイッチＳＷＡからなる直列回路と、容量素子（キャパシタ）ＣＢ及びスイッチＳＷＢからなる直列回路と、駆動電圧ＶＧＨと接地電位Ｖgndとの間に接続された抵抗ＲＬＣ及びスイッチＳＷＣからなる直列回路と、スイッチＳＷＡ及びスイッチＳＷＢの開閉状態を制御するＶＧＬモードレジスタ２４と、抵抗ＲＬＣ及びスイッチＳＷＣの接続接点ＮＣの電位を入力とするレベルシフタ２５と、からなる構成に加え、ＶＧＬ電源ラインＬＮＬと接地電位Ｖgndとの間に接続された放電抵抗（第２の放電抵抗）及びＲＬＤスイッチＳＷＤからなる直列回路と、レベルシフタ２５の出力信号を反転処理するインバータ２８と、を備えた構成を有している。
【０１２１】
ここで、スイッチＳＷＤの開閉状態は、レベルシフタ２５の出力信号をインバータ２８により反転した信号により制御される。また、駆動電圧ＶＧＬは、例えば、−１５Ｖに設定され、ＶＧＬ電源ラインＬＮＬに寄生する配線容量ＣＬは、例えば、２．２μＦに設定され、放電抵抗ＲＬＡの抵抗値は、例えば、５０ｋΩに設定され、放電抵抗ＲＬＤの抵抗値は、例えば、１ｋΩに設定され、電源回路８０の電流供給能力は、例えば、０．３ｍＡに設定されている。
【０１２２】
なお、ＶＧＬモードレジスタ２４、レベルシフタ２５、インバータ２８は、ゲートドライバ２０内に設けられているものであってもよいし、少なくともいずれかが、ゲートドライバ２０外に設けられているものであってもよい。また、同等の機能がＬＣＤコントローラ４０に設けられた構成を有するものであってもよい。
【０１２３】
次いで、このような構成を有するゲートドライバ２０において、通常表示状態からスタンバイ状態に移行する際の制御動作について説明する。
図９は、本実施形態に係る表示駆動装置において、チャージポンプ回路から駆動電圧ＶＧＬを供給する電源回路を適用した場合の制御動作を示すタイミングチャートであり、図１０は、本実施形態に係る表示駆動装置において、外部専用電源から駆動電圧ＶＧＬを供給する電源回路を適用した場合の制御動作を示すタイミングチャートである。図１１は、本実施形態に係る表示駆動装置を備えた表示装置における全体動作（電源判別処理）を示すフローチャートである。
【０１２４】
本実施形態に係るゲートドライバ２０においては、図９、図１０に示すように、上述した第２の実施形態と同様に、駆動電圧ＶＧＬを供給する電源回路８０の態様（チャージポンプ回路を備えた構成、又は、外部専用電源を備えた構成）に関わらず、通常表示状態からスタンバイ状態に移行する際に、ＶＧＬ処理動作を実行するためのＶＧＬ処理期間を設定する。
【０１２５】
まず、通常表示期間（通常表示状態）においては、表示状態を規定するスタンバイ信号がハイレベルに保持された状態において、ＬＣＤコントローラ４０からローレベルのＶＧＬ処理信号がＶＧＬモードレジスタ２４に供給されることにより、ローレベルのモード切換信号ＭＤが出力されて、スイッチＳＷＡがオフ状態に保持されるとともに、モード切換信号ＭＤの反転信号ＭＤ＊により、スイッチＳＷＢがオン状態に保持される。
【０１２６】
また、スイッチＳＷＢがオン状態に保持されることにより、接続接点ＮＢの電位Ｖnbがローレベルに保持されるので、スイッチＳＷＣがオフ状態に保持されて、接続接点ＮＣのハイレベルの電位がシフトレジスタ２５及びインバータ２８を介して、ローレベルの制御信号としてスイッチＳＷＤに印加され、当該スイッチＳＷＤはオフ状態に保持される。
【０１２７】
これにより、上述した第２の実施形態と同様に、電源回路８０から接続端子ＴＭＬを介して印加された駆動電圧ＶＧＬ（−１５Ｖ）に応じた電荷が、ＶＧＬ電源ラインＬＮＬに接続された容量素子ＣＢ及び配線容量ＣＬに蓄積されて、ＶＧＬ電源ラインＬＮＬの電位ＶＧＬが保持される。
【０１２８】
次いで、通常表示状態からスタンバイ状態に移行するＶＧＬ処理期間においては、駆動電圧ＶＧＬが電源回路８０に設けられたチャージポンプ回路により生成、供給されている場合には、図９に示すように、まず、電源回路８０からの駆動電圧ＶＧＬの供給が遮断される。これにより、ＶＧＬ電源ラインＬＮＬの電位は、ＶＧＬ電源ラインＬＮＬに寄生する配線容量ＣＬ及び容量素子ＣＢに蓄積された電荷によって保持される。
【０１２９】
また、このＶＧＬ処理期間の開始タイミングに同期して、ＬＣＤコントローラ４０からハイレベルのＶＧＬ処理信号が供給されることにより、ＶＧＬモードレジスタ２４からハイレベル（オンレベル）のモード制御信号ＭＤが出力されて、スイッチＳＷＡがオン状態に設定されるとともに、ローレベル（オフレベル）の反転信号ＭＤ＊が生成されることにより、スイッチＳＷＢがオフ状態に設定される。
【０１３０】
また、このＶＧＬ処理期間の開始直後においては、接続接点ＮＢの電位Ｖnbがローレベル（接地電位Ｖgnd）に保持されていることにより、スイッチＳＷＣはオフ状態を保持するので、接続接点ＮＣのハイレベルの電位がレベルシフタ２５及びインバータ２８を介して、ローレベルの制御信号としてスイッチＳＷＤに印加されて、当該スイッチＳＷＤはオフ状態を保持する。
【０１３１】
これにより、ＶＧＬ電源ラインＬＮＬは、放電抵抗ＲＬＡ及びスイッチＳＷＡを介して接地電位Ｖgndに接続されるので、ＶＧＬ電源ラインＬＮＬに蓄積された電荷が放電される。ここで、放電抵抗ＲＬＡは、比較的高い抵抗値（５０ｋΩ）に設定されているので、ＶＧＬ電源ラインＬＮＬの電位は駆動電圧ＶＧＬ（−１５Ｖ）から比較的緩やかに上昇して、接地電位Ｖgnd（０Ｖ）に収束するように変化する。
【０１３２】
この放電動作に伴って、ＶＧＬ電源ラインＬＮＬの電位が徐々に上昇すると、スイッチＳＷＢがオフ状態に設定されているので、容量素子ＣＢに蓄積された電荷は保持されて、ＶＧＬ電源ラインＬＮＬに接続された容量素子ＣＢとスイッチＳＷＢとの接続接点ＮＢの電位Ｖnbも上昇する。そして、この接続接点ＮＢの電位ＶnbがスイッチＳＷＣのしきい値電圧Ｖthcに達すると、スイッチＳＷＣがオン動作することにより、抵抗ＲＬＣとスイッチＳＷＣとの接続接点ＮＣの電位が接地電位Ｖgndに設定されるので、レベルシフタ２５及びインバータ２８を介してスイッチＳＷＤに印加される制御信号はハイレベルに設定され、当該スイッチＳＷＤがオン動作する。
【０１３３】
これにより、ＶＧＬ電源ラインＬＮＬは、放電抵抗ＲＬＤ及びスイッチＳＷＤを介して接地電位Ｖgndに接続されるので、ＶＧＬ電源ラインＬＮＬに蓄積された電荷が放電抵抗ＲＬＤ及びスイッチＳＷＤを介して放電される。ここで、ＶＧＬ電源ラインＬＮＬからの放電動作は、ともに接地電位Ｖgndに接続された放電抵抗ＲＬＡ及びＲＬＤを介して並行して行われるが、放電抵抗ＲＬＤは、放電抵抗ＲＬＡに比較して十分低い抵抗値（１ｋΩ）に設定されているので、上記電荷はより抵抗値の低い放電抵抗ＲＬＤ及びスイッチＳＷＤを介して急速に放電され、ＶＧＬ電源ラインＬＮＬの電位は接地電位Ｖgnd（０Ｖ）に収束するように急峻に上昇する。
【０１３４】
したがって、単一の抵抗値を有する放電抵抗を用いて放電動作を行う場合（例えば、第２の実施形態に示した構成）に比較して、より低い抵抗値を有する放電抵抗を用いて放電動作を行うことにより、当該放電動作が迅速に実行されるので、ＶＧＬ電源ラインＬＮＬの電位を駆動電圧（−１５Ｖ）から迅速に接地電位Ｖgnd（０Ｖ）に変化させることができ、結果的により短いＶＧＬ処理期間で、通常表示状態からスタンバイ状態への移行を実現することができる。
【０１３５】
次いで、所定のＶＧＬ処理期間が経過して、表示状態を規定するスタンバイ信号がローレベルに切り替わるタイミングに同期して、ＬＣＤコントローラ４０からローレベルのＶＧＬ処理信号が供給されることにより、ＶＧＬモードレジスタ２４からローレベル（オフレベル）のモード制御信号ＭＤが生成されて、スイッチＳＷＡがオフ状態に設定されるとともに、ハイレベル（オンレベル）の反転信号ＭＤ＊が生成されることにより、スイッチＳＷＢがオン状態に設定される。
【０１３６】
また、接続接点ＮＢの電位Ｖnbがローレベル（接地電位Ｖgnd）に設定されることにより、スイッチＳＷＣはオフ状態に設定されるので、接続接点ＮＣのハイレベルの電位がレベルシフタ及びインバータを介して、ローレベルの制御信号としてスイッチＳＷＤに印加されて、当該スイッチＳＷＤはオフ状態に設定される。
【０１３７】
これにより、ＶＧＬ電源ラインＬＮＬは、接地電位Ｖgndから電気的に遮断されるとともに、接続接点ＮＢの電位Ｖnbがローレベル（接地電位Ｖgnd）に変化するので、ＶＧＬ電源ラインＬＮＬの電位が０Ｖ（接地電位Ｖgnd）に保持されたスタンバイ状態に移行する。
【０１３８】
一方、駆動電圧ＶＧＬが外部専用電源を備えた電源回路により供給されている場合（チャージポンプ回路を適用しない構成の場合）には、図１０に示すように、ＶＧＬ処理期間において、電源回路８０からの駆動電圧ＶＧＬの供給を継続した状態を保持する。これにより、ＶＧＬ電源ラインＬＮＬの電位は、電源回路８０から印加される駆動電圧ＶＧＬ（−１５Ｖ）に保持される。
【０１３９】
また、このＶＧＬ処理期間の開始タイミングに同期して、ＬＣＤコントローラ４０からハイレベルのＶＧＬ処理信号が供給されることにより、ＶＧＬモードレジスタ２４からハイレベル（オンレベル）のモード制御信号ＭＤが出力されて、スイッチＳＷＡがオン状態に設定されるとともに、ローレベル（オフレベル）の反転信号ＭＤ＊が生成されることにより、スイッチＳＷＢがオフ状態に設定される。
【０１４０】
これにより、ＶＧＬ電源ラインＬＮＬから放電抵抗ＲＬＡ及びスイッチＳＷＡを介して接地電位Ｖgndに電荷が放電されるが、ＶＧＬ電源ラインＬＮＬには、外部専用電源（電源回路８０）から駆動電圧ＶＧＬ（例えば、−１５Ｖ）が印加された状態にあり、また、放電抵抗ＲＬＡが比較的高い抵抗値（５０ｋΩ）に設定されているので、上記放電動作は比較的緩やかに行われるとともに、ＶＧＬ供給ラインＬＮＬの電位はほとんど変化しない。すなわち、電源回路８０として比較的小さい電流供給能力（−０．３ｍＡ）を備えた外部専用電源を適用することができる。なお、本実施形態においても、駆動電圧ＶＧＬとして負の電圧（例えば、−１５Ｖ）を設定しているので、上記放電動作は、接地電位側からＶＧＬ供給ラインＬＮＬ（電源回路）方向に、所定の電流（０．３ｍＡ）が引き込まれるように流れる。
【０１４１】
したがって、接続接点ＮＢの電位Ｖnbは、ローレベル（接地電位Ｖgnd）を保持するので、スイッチＳＷＣはオフ状態を保持し、接続接点ＮＣのハイレベルの電位が、レベルシフタ２５及びインバータ２８を介して、ローレベルの制御信号としてスイッチＳＷＤに印加されて、当該スイッチＳＷＤは、オフ状態を保持する。
【０１４２】
そして、所定のＶＧＬ処理期間（上記チャージポンプ回路を備えた電源回路８０において、放電動作によりＶＧＬ電源ラインＬＮＬの電位が接地電位Ｖgndに収束するまでに要する時間により規定される）が経過して、表示状態を規定するスタンバイ信号がローレベルに切り替わるタイミングに同期して、ＬＣＤコントローラ４０からローレベルのＶＧＬ処理信号が供給されることにより、ＶＧＬ処理期間からスタンバイ状態（制御動作上の形式的なスタンバイ状態）に移行する。
その後、任意のタイミングで、ＶＧＬ電源ラインＬＮＬへの駆動電圧ＶＧＬの供給を電源回路８０において直接遮断（電源ＯＦＦ）することにより、ＶＧＬ電源ラインＬＮＬに蓄積された電荷が、リーク電流による自然放電によって放電されて、ＶＧＬ電源ラインＬＮＬの電位が徐々に上昇して、ゲートドライバ２０への電源電圧の供給が遮断された、実質的なスタンバイ状態（パワーセーブ状態）に移行する。
【０１４３】
このように、本実施形態に係る表示駆動装置によれば、上述した第２の実施形態と同様に、駆動電圧ＶＧＬを供給する電源回路の態様（チャージポンプ回路を備えた構成か、外部専用電源からなる構成か）に関わらず、単一の回路構成を有するゲートドライバ（又は、該ゲートドライバを搭載したパネルモジュール）で、ＶＧＬ処理期間におけるＶＧＬ電源ラインの電位変化に基づいて、電源回路の態様を判別して、ＶＧＬ電源ラインを接地電位に直接接続する放電方式（強制放電）、又は、リーク電流による放電方式（自然放電）のうち、より適切な放電方式が自動的に設定される。
【０１４４】
具体的には、本実施形態に係るゲートドライバ２０を備えた液晶表示装置１００において、任意の態様（チャージポンプ回路を備えた構成、又は、外部専用電源からなる構成）を有する電源回路８０を適用して画像情報を表示する駆動制御方法において、図１１に示すように、通常の表示状態（Ｓ２０１）からスタンバイ状態に移行する際に、ＶＧＬ処理動作を実行する（ＶＧＬ処理期間を開始する；Ｓ２０２）。
【０１４５】
このＶＧＬ処理期間においては、その開始タイミングに同期して、まず、駆動電圧ＶＧＬが供給されるＶＧＬ電源ラインＬＮＬに接続された高抵抗の放電抵抗ＲＬＡ（５０ｋΩ）を介して、当該電源ラインＬＮＬに蓄積された電荷を放電する放電動作が開始される。このとき、上述した第２の実施形態と同様に、ＶＧＬ電源ラインＬＮＬの電位変化を検出することにより（Ｓ２０３）、電源回路８０がチャージポンプ回路を備えた構成であるか、外部専用電源であるかを判別（判定）することができる。
【０１４６】
ここで、電源回路８０がチャージポンプ回路を備えた構成であると判定された場合には（Ｓ２０４）、ＶＧＬ処理期間中、放電動作を継続するとともに（Ｓ２０５）、ＶＧＬ電源ラインＬＮＬの電位が所定の電圧値（スイッチＳＷＣのしきい値電圧Ｖthc）に到達したことを検出して、上記放電抵抗ＲＬＡよりも低抵抗の放電抵抗ＲＬＤ（１ｋΩ）を介して、当該電源ラインＬＮＬに蓄積された電荷を放電する（Ｓ２０６）。この放電動作は、ＶＧＬ電源ラインＬＮＬの電位が接地電位Ｖgndに収束するまで継続する。
【０１４７】
そして、ＶＧＬ処理期間が経過経過（終了）して、放電動作が終了されることにより（Ｓ２０７）、ゲートドライバへの電源電圧（駆動電圧ＶＧＬ）の供給が遮断され、かつ、ＶＧＬ電源ラインの電位が接地電位に設定されたスタンバイ状態に移行する（Ｓ２０８）。
【０１４８】
一方、電源回路が外部専用電源を備えた構成であると判定された場合には（Ｓ２０９）、ＶＧＬ処理期間中、高抵抗の放電抵抗ＲＬＡを介して、放電動作が継続される（Ｓ２１０）。このとき、電源回路８０からＶＧＬ電源ラインＬＮＬを介して接地電位Ｖgndに電流が流れるが、高抵抗の放電抵抗ＲＬＡを介して、放電動作が行われるので、ＶＧＬ電源ラインＬＮＬの電位はほとんど変化せず、また、放電動作に伴う電流量が抑制されることから、電源回路８０における消費電力が抑制される。
【０１４９】
そして、ＶＧＬ処理期間が経過（終了）することにより（Ｓ２１１）、制御動作上の形式的なスタンバイ状態に移行するが、この状態においては、通常の表示状態と同様に、ゲートドライバ２０に電源電圧（駆動電圧ＶＧＬ）が供給され、かつ、ＶＧＬ電源ラインＬＮＬの電位が駆動電圧ＶＧＬに設定された状態に設定される。
【０１５０】
その後、電源回路８０を直接遮断（電源ＯＦＦ）をすることにより（Ｓ２１２）、ＶＧＬ電源ラインＬＮＬに蓄積された電荷が自然放電され、ＶＧＬ電源ラインＬＮＬの電位が接地電位に収束することにより当該放電動作が終了する。これにより、ゲートドライバ２０への電源電圧（駆動電圧ＶＧＬ）の供給が遮断され、かつ、ＶＧＬ電源ラインＬＮＬの電位が接地電位Ｖgndに設定された、実質的なスタンバイ状態に移行する（Ｓ２０８）。
【０１５１】
したがって、上述した第２の実施形態と同様に、電源回路の態様に関わらず、本実施形態に係るゲートドライバ（又は、当該ゲートドライバを備えたパネルモジュール）に電源回路を接続するだけで、ＶＧＬ処理期間におけるＶＧＬ電源ラインの電位変化に基づいて、電源回路の態様を判別し、より適切な放電方式を自動的に設定することができるので、当該設定に係る作業工数を削減することができるとともに、人為的な設定ミスによる残像の発生や液晶の劣化、表示誤動作の発生を抑制することができる。
【０１５２】
また、本実施形態においては、駆動電圧ＶＧＬがチャージポンプ回路により生成されている場合には、放電動作に関わる放電抵抗の抵抗値を低くするように切り換えてＶＧＬ電源ラインからの放電を迅速に促進することができるので、ＶＧＬ処理期間を短縮することができる。また、駆動電圧ＶＧＬが外部専用電源から供給されている場合には、放電抵抗の抵抗値を高く設定した状態で放電動作が実行されるので、当該外部専用電源（電源回路）の電流供給能力を低く設定することができるとともに、放電動作に関わる電流量を抑制して、消費電力を低減することができる。
【０１５３】
なお、本実施形態においては、ＶＧＬ処理期間に実行される放電動作の初期の段階で適用される放電抵抗の抵抗値を大きくすることにより、電源回路の電流供給能力を低減することができるとともに、放電抵抗の抵抗値を切り換えることにより、ＶＧＬ処理期間を短縮することができることを示したが、本発明はこれに限定されるものではなく、例えば、上述した第２の実施形態と同様に、タイマーを設けて、ＶＧＬ電源ラインの電位変化に基づいて、放電動作を上記ＶＧＬ処理期間よりもさらに短い時間で停止するようにして、電源回路（外部専用電源）から流れる電流量を抑制し、消費電力を低減するようにしてもよい。
【０１５４】
なお、上述した各実施形態においては、表示装置の一例として、液晶表示装置を示し、本発明をゲートドライバに適用した場合について説明したが、本発明はこれに限定されるものではない。すなわち、上述した表示パネルにおける表示状態が通常の表示状態からスタンバイ状態に移行する機能のように、電源電圧の供給状態が変化する機器であって、かつ、電源回路として、チャージポンプ回路により当該電源電圧を生成する構成と外部専用電源により供給する構成のいずれをも適用することができ、さらに、上記電源電圧の供給状態の変化により、電源ラインに残留する電荷（電位）に起因して、素子の劣化や動作状態の誤動作等を生じる場合に良好に適用することができ、例えば、ＥＬ表示パネルや画像読取装置の走査ドライバ等に適用することもできる。
【図面の簡単な説明】
【０１５５】
【図１】本発明に係る表示装置の構成を適用した液晶表示装置の一実施形態を示す概略ブロック図である。
【図２】本発明に係る表示駆動装置の第１の実施形態を示す要部構成図である。
【図３】第１の実施形態に係る表示駆動装置の制御動作を示すタイミングチャートである。
【図４】本発明に係る表示駆動装置の第２の実施形態を示す要部構成図である。
【図５】第２の実施形態に係る表示駆動装置において、チャージポンプ回路から駆動電圧ＶＧＬを供給する電源回路を適用した場合の制御動作を示すタイミングチャートである。
【図６】第２の実施形態に係る表示駆動装置において、外部専用電源から駆動電圧ＶＧＬを供給する電源回路を適用した場合の制御動作を示すタイミングチャートである。
【図７】第２の実施形態に係る表示駆動装置を備えた表示装置における全体動作（電源判別処理）を示すフローチャートである。
【図８】本発明に係る表示駆動装置の第３の実施形態を示す要部構成図である。
【図９】第３の実施形態に係る表示駆動装置において、チャージポンプ回路から駆動電圧ＶＧＬを供給する電源回路を適用した場合の制御動作を示すタイミングチャートである。
【図１０】第３の実施形態に係る表示駆動装置において、外部専用電源から駆動電圧ＶＧＬを供給する電源回路を適用した場合の制御動作を示すタイミングチャートである。
【図１１】第３の実施形態に係る表示駆動装置を備えた表示装置における全体動作（電源判別処理）を示すフローチャートである。
【図１２】アクティブマトリクス型の駆動方式を採用した液晶表示装置の概略構成を示すブロック図である。
【図１３】従来技術におけるチャージポンプ回路を備えた電源回路の一例を示す概略回路図である。
【符号の説明】
【０１５６】
１００      液晶表示装置
１０      液晶表示パネル
２０      ゲートドライバ
２１      シフトレジスタ
２２、２５        レベルシフタ
２４      ＶＧＬモードレジスタ
２６      タイマー
３０      データドライバ
４０      ＬＣＤコントローラ
ＲＬＡ、ＲＬＤ    放電抵抗
ＳＷＡ〜ＳＷＤ    スイッチ
ＣＢ      容量素子
【図１】
2006189714.tif 000003
【図２】
2006189714.tif 000004
【図３】
2006189714.tif 000005
【図４】
2006189714.tif 000006
【図５】
2006189714.tif 000007
【図６】
2006189714.tif 000008
【図７】
2006189714.tif 000009
【図８】
2006189714.tif 000010
【図９】
2006189714.tif 000011
【図１０】
2006189714.tif 000012
【図１１】
2006189714.tif 000013
【図１２】
2006189714.tif 000014
【図１３】
2006189714.tif 000015